(57)【要約】  ワイヤレスコンディションに基づいた複数無線アクセスに基づくワイヤレス通信のためのシステム、デバイス、および方法が提供されている。一態様では、ワイヤレス通信リンクを介して通信するように構成されたデバイスが提供されている。そのデバイスは、パケットデータ送信のためのネットワークリソースを求める要求を伝送するように構成されたコントローラを含む。そのコントローラは、ワイヤレス通信リンクのコンディション、およびデバイスによって送信されているワイヤレス通信のタイプに部分的に基づいてネットワークリソースを求める要求を抑制するように構成されうる。【選択図】      図４
2014524683.tif 000002
【特許請求の範囲】
【請求項１】
無線通信の方法であって、
ワイヤレス通信リンクを確立することと、
モバイルワイヤレスデバイスにおいて
既存の音声およびデータの通信におけるパケットデータ送信のためのさらなるネットワークリソース、または
既存の音声通信におけるパケットデータ送信のための新たなネットワークリソース、
を求める、ネットワークへの要求を抑制することと
を備え、
前記抑制することは、前記ワイヤレス通信リンクのコンディション、および送信されている既存のワイヤレス通信のタイプに部分的に基づく、
方法。
【請求項２】
前記抑制された要求は、さらなるリソースを求める要求を備える、請求項１に記載の方法。
【請求項３】
前記抑制することは、前記デバイスによって受信されたワイヤレス信号の品質、前記デバイスによって受信された信号に対するエラーレート、前記デバイスからのパケット再送信の数、前記デバイスの電力状態、および前記ワイヤレス通信リンクのリセット、のうちの少なくとも１つに基づいて、前記ネットワークリソースを求める要求を抑制することを備える、請求項１に記載の方法。
【請求項４】
前記ワイヤレス通信のタイプは、複数無線アクセスベアラ通信を備える、請求項１に記載の方法。
【請求項５】
前記パケットデータ送信のためのネットワークリソースを求める要求は、トラフィックボリューム要求を備える、請求項１に記載の方法。
【請求項６】
前記ワイヤレス通信リンクは、ユニバーサルモバイルテレコミュニケーションシステムを備える、請求項１に記載の方法。
【請求項７】
前記ワイヤレス通信リンクは、３Ｇシステムを備える、請求項１に記載の方法。
【請求項８】
前記抑制することは、複数無線アクセスベアラワイヤレス通信のタイプに基づく、請求項１に記載の方法。
【請求項９】
新たなセッションの確立を求める要求を受信することと、
現在のワイヤレス通信セッションの品質を決定することと、
前記現在のワイヤレス通信セッションの十分な品質に基づいてワイヤレス通信ネットワークへの前記新たなセッションの確立要求を送信することと、
前記現在のワイヤレス通信セッションの不十分な品質に基づいて前記新たなセッションの確立要求を拒絶することと、
をさらに備える、請求項１に記載の方法。
【請求項１０】
前記決定することは、アプリケーションプログラミングインタフェース（ＡＰＩ）を介してアプリケーションレベルで利用可能にされる情報に基づく、請求項９に記載の方法。
【請求項１１】
前記決定することは、新たなセッションの確立要求を受信することに基づく、請求項９に記載の方法。
【請求項１２】
前記決定することは、前記現在のワイヤレス通信セッションの少なくとも１つによって使用される送信電力に基づく、請求項９に記載の方法。
【請求項１３】
前記決定することは、前記新たなワイヤレス通信セッションへの割り当てのために利用可能な残りの送信電力に基づく、請求項９に記載の方法。
【請求項１４】
前記決定することは、前記現在のワイヤレス通信セッションの少なくとも１つの送信のために使用されるトランスポートフォーマットの組み合わせに基づく、請求項９に記載の方法。
【請求項１５】
前記拒絶することは、後のタイムまで、前記新たなセッションの確立要求を遅延させることを備える、請求項９に記載の方法。
【請求項１６】
前記後のタイムは、所定の後のタイムおよびランダムな後のタイムのうちの１つを備える、請求項１５に記載の方法。
【請求項１７】
前記拒絶することは、前記新たなセッションの確立要求を無視することを備える、請求項９に記載の方法。
【請求項１８】
ワイヤレス通信リンクを介して通信するように構成されたデバイスであって、
ワイヤレス通信リンクを確立し、ワイヤレス通信を送信するように構成された送信機と、
既存の音声およびデータの通信におけるパケットデータ送信のためのさらなるネットワークリソース、または
既存の音声通信におけるパケットデータ送信のための新たなネットワークリソース、
を求める、ネットワークへの要求を抑制するように構成されたコントローラと
を備え、
前記コントローラは、前記ワイヤレス通信リンクのコンディション、および送信されている既存のワイヤレス通信のタイプに部分的に基づいて前記要求を抑制するように構成される、
デバイス。
【請求項１９】
前記抑制された要求は、さらなるリソースを求める要求を備える、請求項１８に記載のデバイス。
【請求項２０】
前記コントローラは、前記デバイスによって受信されたワイヤレス信号の品質、前記デバイスによって受信された信号に対するエラーレート、前記デバイスからのパケット再送信の数、前記デバイスの電力状態、および前記ワイヤレス通信リンクのリセット、のうちの少なくとも１つに基づいて、前記要求を抑制するように構成される、請求項１８に記載のデバイス。
【請求項２１】
前記ワイヤレス通信のタイプは、複数無線アクセスベアラ通信を備える、請求項１８に記載のデバイス。
【請求項２２】
前記パケットデータ送信のためのネットワークリソースを求める要求は、トラフィックボリューム要求を備える、請求項１８に記載のデバイス。
【請求項２３】
前記ワイヤレス通信リンクは、ユニバーサルモバイルテレコミュニケーションシステムを備える、請求項１８に記載のデバイス。
【請求項２４】
前記ワイヤレス通信リンクは、３Ｇシステムを備える、請求項１８に記載のデバイス。
【請求項２５】
前記コントローラは、複数無線アクセスベアラワイヤレス通信のタイプに基づいて前記要求を抑制するように構成される、請求項１８に記載のデバイス。
【請求項２６】
前記コントローラは、
新たなセッションの確立を求める要求を受信し、
現在のワイヤレス通信セッションの品質を決定し、
前記現在のワイヤレス通信セッションの十分な品質に基づいてワイヤレス通信ネットワークへの前記新たなセッションの確立要求を送信し、
前記現在のワイヤレス通信セッションの不十分な品質に基づいて前記新たなセッションの確立要求を拒絶する、
ようにさらに構成される、請求項１８に記載のデバイス。
【請求項２７】
前記コントローラは、アプリケーションプログラミングインタフェース（ＡＰＩ）を介してアプリケーションレベルで利用可能にされる情報に基づいて前記品質を決定するように構成される、請求項２６に記載のデバイス。
【請求項２８】
前記コントローラは、新たなセッションの確立要求を受信することに基づいて前記品質を決定するように構成される、請求項２６に記載のデバイス。
【請求項２９】
前記コントローラは、前記現在のワイヤレス通信セッションの少なくとも１つによって使用される送信電力に基づいて前記品質を決定するように構成される、請求項２６に記載のデバイス。
【請求項３０】
前記コントローラは、前記新たなワイヤレス通信セッションへの割り当てのために利用可能な残りの送信電力に基づいて前記品質を決定するように構成される、請求項２６に記載のデバイス。
【請求項３１】
前記コントローラは、前記現在のワイヤレス通信セッションの少なくとも１つの送信のために使用されるトランスポートフォーマットの組み合わせに基づいて前記品質を決定するように構成される、請求項２６に記載のデバイス。
【請求項３２】
前記コントローラは、後のタイムまで前記新たなセッションの確立要求を遅延させることによって、前記新たなセッションの確立要求を拒絶するように構成される、請求項２６に記載のデバイス。
【請求項３３】
前記後のタイムは、所定の後のタイムおよびランダムな後のタイムのうちの１つを備える、請求項３２に記載のデバイス。
【請求項３４】
前記コントローラは、前記新たなセッションの確立要求を無視することによって、前記新たなセッションの確立要求を拒絶するように構成される、請求項２６に記載のデバイス。
【請求項３５】
ワイヤレス通信リンクを介して通信するように構成されたデバイスであって、
前記ワイヤレス通信リンクを確立するための手段と、
モバイルワイヤレスデバイスにおいて
既存の音声およびデータの通信におけるパケットデータ送信のためのさらなるネットワークリソース、または
既存の音声通信におけるパケットデータ送信のための新たなネットワークリソース、
を求める、ネットワークへの要求を抑制するための手段と、
を備え、
前記抑制することは、前記ワイヤレス通信リンクのコンディション、および送信されている既存のワイヤレス通信のタイプに部分的に基づく、
デバイス。
【請求項３６】
前記抑制された要求は、さらなるリソースを求める要求を備える、請求項３５に記載のデバイス。
【請求項３７】
前記抑制するための手段は、前記デバイスによって受信されたワイヤレス信号の品質、前記デバイスによって受信された信号に対するエラーレート、前記デバイスからのパケット再送信の数、前記デバイスの電力状態、および前記ワイヤレス通信リンクのリセット、のうちの少なくとも１つに基づいて、前記ネットワークリソースを求める要求を抑制するための手段を備える、請求項３５に記載のデバイス。
【請求項３８】
前記ワイヤレス通信のタイプは、複数無線アクセスベアラ通信を備える、請求項３５に記載のデバイス。
【請求項３９】
前記パケットデータ送信のためのネットワークリソースを求める要求は、トラフィックボリューム要求を備える、請求項３５に記載のデバイス。
【請求項４０】
前記ワイヤレス通信リンクは、ユニバーサルモバイルテレコミュニケーションシステムを備える、請求項３５に記載のデバイス。
【請求項４１】
前記ワイヤレス通信リンクは、３Ｇシステムを備える、請求項３５に記載のデバイス。
【請求項４２】
前記抑制することは、複数無線アクセスベアラワイヤレス通信のタイプに基づく、請求項３５に記載のデバイス。
【請求項４３】
新たなセッションの確立を求める要求を受信するための手段と、
現在のワイヤレス通信セッションの品質を決定するための手段と、
前記現在のワイヤレス通信セッションの十分な品質に基づいてワイヤレス通信ネットワークへの前記新たなセッションの確立要求を送信するための手段と、
前記現在のワイヤレス通信セッションの不十分な品質に基づいて前記新たなセッションの確立要求を拒絶するための手段と、
をさらに備える、請求項３５に記載のデバイス。
【請求項４４】
前記決定することは、アプリケーションプログラミングインタフェース（ＡＰＩ）を介してアプリケーションレベルで利用可能にされる情報に基づく、請求項４３に記載のデバイス。
【請求項４５】
前記決定することは、新たなセッションの確立要求を受信することに基づく、請求項４３に記載のデバイス。
【請求項４６】
前記決定することは、前記現在のワイヤレス通信セッションの少なくとも１つによって使用される送信電力に基づく、請求項４３に記載のデバイス。
【請求項４７】
前記決定することは、前記新たなワイヤレス通信セッションへの割り当てのために利用可能な残りの送信電力に基づく、請求項４３に記載のデバイス。
【請求項４８】
前記決定することは、前記現在のワイヤレス通信セッションの少なくとも１つの送信のために使用されるトランスポートフォーマットの組み合わせに基づく、請求項４３に記載のデバイス。
【請求項４９】
前記拒絶するための手段は、後のタイムまで、前記新たなセッションの確立要求を遅延させるための手段を備える、請求項４３に記載のデバイス。
【請求項５０】
前記後のタイムは、所定の後のタイムおよびランダムな後のタイムのうちの１つを備える、請求項４９に記載のデバイス。
【請求項５１】
前記拒絶するための手段は、前記新たなセッションの確立要求を無視するための手段を備える、請求項４３に記載のデバイス。
【請求項５２】
命令を備える非一時的なコンピュータ可読記憶媒体であって、前記命令は、装置の少なくとも１つプロセッサによって実行されるとき、前記装置に、
ワイヤレス通信リンクを確立することと、
モバイルワイヤレスデバイスにおいて
既存の音声およびデータの通信におけるパケットデータ送信のためのさらなるネットワークリソース、または
既存の音声通信におけるパケットデータ送信のための新たなネットワークリソース、
を求める、ネットワークへの要求を抑制することと、
を行わせ、
前記抑制は、前記ワイヤレス通信リンクのコンディション、および送信されている既存のワイヤレス通信のタイプに部分的に基づく、
非一時的なコンピュータ可読記憶媒体。
【請求項５３】
前記抑制された要求は、さらなるリソースを求める要求を備える、請求項５２に記載の媒体。
【請求項５４】
前記抑制は、前記デバイスによって受信されたワイヤレス信号の品質、前記デバイスによって受信された信号に対するエラーレート、前記デバイスからのパケット再送信の数、前記デバイスの電力状態、および前記ワイヤレス通信リンクのリセット、のうちの少なくとも１つに基づく、請求項５２に記載の媒体。
【請求項５５】
前記ワイヤレス通信のタイプは、複数無線アクセスベアラ通信を備える、請求項５２に記載の媒体。
【請求項５６】
前記パケットデータ送信のためのネットワークリソースを求める要求は、トラフィックボリューム要求を備える、請求項５２に記載の媒体。
【請求項５７】
前記ワイヤレス通信リンクは、ユニバーサルモバイルテレコミュニケーションシステムを備える、請求項５２に記載の媒体。
【請求項５８】
前記ワイヤレス通信リンクは、３Ｇシステムを備える、請求項５２に記載の媒体。
【請求項５９】
前記抑制は、複数無線アクセスベアラワイヤレス通信のタイプに基づく、請求項５２に記載の媒体。
【請求項６０】
前記装置の少なくとも１つプロセッサによって実行されるとき、前記装置に、
新たなセッションの確立を求める要求を受信することと、
現在のワイヤレス通信セッションの品質を決定することと、
前記現在のワイヤレス通信セッションの十分な品質に基づいてワイヤレス通信ネットワークへの前記新たなセッションの確立要求を送信することと、
前記現在のワイヤレス通信セッションの不十分な品質に基づいて前記新たなセッションの確立要求を拒絶することと、
を行わせる命令をさらに備える、請求項５２に記載の媒体。
【請求項６１】
前記決定された品質は、アプリケーションプログラミングインタフェース（ＡＰＩ）を介してアプリケーションレベルで利用可能にされる情報に基づく、請求項６０に記載の媒体。
【請求項６２】
前記決定された品質は、新たなセッションの確立要求を受信することに基づく、請求項６０に記載の媒体。
【請求項６３】
前記決定された品質は、前記現在のワイヤレス通信セッションの少なくとも１つによって使用される送信電力に基づく、請求項６０に記載の媒体。
【請求項６４】
前記決定された品質は、前記新たなワイヤレス通信セッションへの割り当てのために利用可能な残りの送信電力に基づく、請求項６０に記載の媒体。
【請求項６５】
前記決定された品質は、前記現在のワイヤレス通信セッションの少なくとも１つの送信のために使用されるトランスポートフォーマットの組み合わせに基づく、請求項６０に記載の媒体。
【請求項６６】
前記装置の少なくとも１つのプロセッサによって実行されるとき、前記装置に、後のタイムまで前記新たなセッションの確立要求を遅延させることによって、前記新たなセッションの確立要求を拒絶することを行わせる、命令をさらに備える、請求項６０に記載の媒体。
【請求項６７】
前記後のタイムは、所定の後のタイムおよびランダムな後のタイムのうちの１つを備える、請求項６６に記載の媒体。
【請求項６８】
前記装置の少なくとも１つのプロセッサによって実行されるとき、前記装置に、前記新たなセッションの確立要求を無視することによって、前記新たなセッションの確立要求を拒絶することを行わせる、命令をさらに備える、請求項６０に記載の媒体。
【発明の詳細な説明】
【関連出願の相互参照】
【０００１】
[0001]  本開示は、その譲受人に譲渡され、「ＳＹＳＴＥＭＳ，  ＭＥＴＨＯＤＳ  ＡＮＤ  ＡＰＰＡＲＡＴＵＳ  ＦＯＲ  ＣＯＮＴＲＯＬＬＩＮＧ  ＮＥＷ  ＷＩＲＥＬＥＳＳ  ＣＯＭＭＵＮＩＣＡＴＩＯＮ  ＳＥＳＳＩＯＮ  ＩＮＩＴＩＡＴＩＯＮ」という名称の、２０１１年８月４日付けで出願された、米国特許仮出願第６１／５１５，３０３号、およびその譲受人に譲渡され、「ＳＹＳＴＥＭＳ，  ＭＥＴＨＯＤＳ  ＡＮＤ  ＡＰＰＡＲＡＴＵＳ  ＦＯＲ  ＷＩＲＥＬＥＳＳ  ＣＯＮＤＩＴＩＯＮ  ＢＡＳＥＤ  ＭＵＬＴＩＰＬＥ  ＲＡＤＩＯ  ＡＣＣＥＳＳ  ＢＥＡＲＥＲ  ＣＯＭＭＵＮＩＣＡＴＩＯＮＳ」という名称の２０１１年９月２６日付で出願された、米国特許仮出願第６１／５３９，４１７号に基づく優先権を主張する。双方の先行出願の開示は、本開示の一部として考慮され、本開示に参照として組み込まれる。
【背景技術】
【０００２】
[0002]  本発明の態様は、ワイヤレス通信に関し、特に、ワイヤレスコンディションに基づく複数無線アクセスベアラ通信を有効にするように構成されたシステム、方法、および装置に関する。
【０００３】
[0003]  ワイヤレス通信システムは、音声、データ等のような様々なタイプの通信コンテンツを提供するために広く展開されている。これらのシステムは、利用可能なシステムリソース（例えば、帯域幅および送信電力）を共有することによって複数のユーザとの通信をサポートすることができる多元接続システムでありうる。このような多元接続システムの例は、コード分割多元接続（ＣＤＭＡ）システム、時間分割多元接続（ＴＤＭＡ）システム、周波数分割多元接続（ＦＤＭＡ）システム、３ＧＰＰロングタームエボリューション（ＬＴＥ）システム、および直交周波数分割多重接続（ＯＦＤＭＡ）システムを含む。
【０００４】
[0004]  ワイヤレス多元接続通信システムは、複数のワイヤレス端末（例えば、携帯電話、タブレットコンピュータ、および他の電子デバイス）のための通信を同時にサポートすることができる。各ワイヤレス端末は、１つまたは複数のアップリンクおよびダウンリンク上の送信を介して、１つまたは複数の基地局と通信する。ダウンリンク（すなわち、順方向リンク）は、基地局からワイヤレス端末への通信リンクを称し、アップリンク（すなわち、逆方向リンク）は、ワイヤレス端末から基地局への通信リンクを称する。これらの通信リンクは、単一入力単一出力（ＳＩＳＯ）、多入力単一出力（ＭＩＳＯ）、または多入力多出力（ＭＩＭＯ）システムを介して、確立されうる。
【０００５】
[0005]  ＭＩＭＯシステムは、データ送信のために複数の送信アンテナおよび複数の受信アンテナを用いる。送信および受信アンテナによって形成されたＭＩＭＯチャネルは、空間チャネルとしても称される、独立チャネルへ分解されうる。独立チャネルの各々は、一つの次元に対応する。複数の送信および受信アンテナによって生成されるさらなる次元が利用される場合、ＭＩＭＯシステムは、向上した性能（例えば、より高いスループットおよび／またはより高い信頼性）を提供することができる。
【０００６】
[0006]  ＭＩＭＯシステムは、時分割デュプレックス（ＴＤＤ）および周波数分割デュプレックス（ＦＤＤ）システムをサポートする。ＴＤＤシステムでは、相互関係の原理によって、アップリンクチャネルからのダウンリンクチャネルの推定が可能になるように、アップリンクおよびダウンリンク送信は同じ周波数領域内にある。このことは、複数のアンテナが基地局で利用可能であるとき、ダウンリンク上で送信ビームフォーミング利得を基地局が抽出することを有効にする。
【０００７】
[0007]  基地局の主要な目的は、１つまたは複数のワイヤレス端末とコア通信ネットワークとの間の接続を提供することである。ＵＭＴＳ無線アクセスネットワーク（ＲＡＮ）で、基地局の機能が２つのネットワーク要素間で分けられうる：無線ネットワークコントローラ（ＲＮＣ）は、いくつかある機能の中で特に、接続セットアップ、リソース分配、および可動性を管理する；共有チャネル上の接続されたユーザに対するリソース割り当て、およびワイヤレス端末への無線送信ならびにワイヤレス端末からの無線受信を管理するように構成された基地ノード（ノードＢ）。
【０００８】
[0008]  ワイヤレス端末と基地局との間の呼接続を確立するために、無線アクセスベアラ（ＲＡＢ）が必要とされる。ＲＡＢは、ワイヤレス端末とコア通信ネットワークとの間で音声または他のデータを搬送する。例えば、音声データ、ストリーミングデータ（例えば、ビデオクリップをストリーミングすること）、対話式データ（interactive data）（例えば、ウェブサイトと相互動作すること）、および他のもののような異なるタイプのデータに対して異なるタイプのＲＡＢが存在する。音声およびデータの同時接続は、複数のＲＡＢを要求し、複数ＲＡＢすなわちＭＲＡＢ接続として称されうる。組み合わされた音声およびデータのネットワーク、例えば３Ｇ  ＵＭＴＳ、の初期において、音声およびデータの同時接続は普及していなかった。しかしながら、より新しいワイヤレス端末デバイス（例えば、タッチスクリーンセルラ電話）は、ますます、音声およびデータの接続を同時に使用するようになった。ＭＲＡＢ呼は、単一ＲＡＢ呼または接続と比較して、脱落呼または接続のレートの増加を経験することで知られている。この原因は、例えば、定まらないワイヤレス信号コンディションに起因しうる。したがって、ＭＲＡＢ呼の間にワイヤレス端末と基地局との間の通信を向上させる必要性が存在する。
【発明の概要】
【０００９】
[0009]添付の請求項の範囲内のシステム、方法、および装置の様々なインプリメンテーションが各々、いくつかの態様を有し、それらのどれも、ここに記述された望ましい属性を単独で担うものではない。添付の請求項の範囲を限定することなく、いくつかの卓越した特徴がここに記述されている。この議論を考慮した後、特に、「詳細な説明」という名称のセクションを読んだ後に、当業者は、様々なインプリメンテーションの特徴が、ＭＲＡＢ呼において様々なチャネルへの電力割り当てを操作するように使用されることを理解するだろう。
【００１０】
[0010]  ある態様で、ワイヤレス通信の方法が提供されている。その方法は、ワイヤレス通信リンクを確立することを含む。その方法はさらに、モバイルワイヤレスデバイスにおいて、ネットワークへの要求を抑制することを含む。抑制された要求は、既存の音声およびデータの通信におけるパケットデータ送信のためのさらなるネットワークリソース、または既存の音声通信におけるパケットデータ送信のための新たなネットワークリソースを求めるものである。抑制は、ワイヤレス通信リンクのコンディション、および送信されている既存のワイヤレス通信のタイプに少なくとも部分的に基づく。
【００１１】
[0011]  一実施形態では、その方法はさらに、新たなセッションの確立を求める要求を受信することを含むことができる。その方法はさらに、現在のワイヤレス通信セッションの品質を決定することを含むことができる。その方法はさらに、現在のワイヤレス通信セッションの十分な品質に基づいてワイヤレス通信ネットワークへの新たなセッションの確立要求を送信することを含むことができる。その方法はさらに、現在のワイヤレス通信セッションの不十分な品質に基づいて新たなセッションの確立要求を拒絶することを含むことができる。
【００１２】
[0012]  別の態様では、ワイヤレス通信リンクを介して通信するように構成されたデバイスが提供されている。そのデバイスは、ワイヤレス通信リンクを確立し、ワイヤレス通信を送信するように構成された送信機を含む。そのデバイスはさらに、ネットワークへの要求を抑制するように構成されたコントローラを含む。その要求は、既存の音声およびデータの通信におけるパケットデータ送信のためのさらなるネットワークリソース、または既存の音声通信におけるパケットデータ送信のための新たなネットワークリソースを求めるものである。そのコントローラは、ワイヤレス通信リンクのコンディション、および送信されている既存のワイヤレス通信のタイプに少なくとも部分的に基づいてその要求を抑制するように構成されている。
【００１３】
[0013]  一実施形態では、そのコントローラはさらに、新たなセッションの確立を求める要求を受信するように構成されうる。そのコントローラはさらに、現在のワイヤレス通信セッションの品質を決定するように構成されうる。そのコントローラはさらに、現在のワイヤレス通信セッションの十分な品質に基づいてワイヤレス通信ネットワークへの新たなセッションの確立要求を送信するように構成されうる。そのコントローラはさらに、現在のワイヤレス通信セッションの不十分な品質に基づいて新たなセッションの確立要求を拒絶するように構成されうる。
【００１４】
[0014]  別の態様では、ワイヤレス通信リンクを介して通信するように構成された別のデバイスが提供されている。そのデバイスは、ワイヤレス通信リンクを確立するための手段を含む。そのデバイスはさらに、モバイルワイヤレスデバイスにおいて、ネットワークへの要求を抑制するための手段を含む。その要求は、既存の音声およびデータの通信におけるパケットデータ送信のためのさらなるネットワークリソース、または既存の音声通信におけるパケットデータ送信のための新たなネットワークリソースを求めるものである。抑制は、ワイヤレス通信リンクのコンディション、および送信されている既存のワイヤレス通信のタイプに少なくとも部分的に基づく。
【００１５】
[0015]  一実施形態では、そのデバイスはさらに、新たなセッションの確立を求める要求を受信するための手段を含むことができる。そのデバイスはさらに、現在のワイヤレス通信セッションの品質を決定するための手段を含むことができる。そのデバイスはさらに、現在のワイヤレス通信セッションの十分な品質に基づいてワイヤレス通信ネットワークへの新たなセッションの確立要求を送信するための手段を含むことができる。そのデバイスはさらに、現在のワイヤレス通信セッションの不十分な品質に基づいて新たなセッションの確立要求を拒絶するための手段を含むことができる。
【００１６】
[0016]  別の態様では、非トランジトリなコンピュータ可読記憶媒体が提供されている。その媒体は、装置の少なくとも１つのプロセッサによって実行されるとき、装置にワイヤレス通信リンクを確立させる命令を含む。その媒体はさらに、装置の少なくとも１つのプロセッサによって実行されるとき、装置に、モバイルワイヤレスデバイスにおいて、ネットワークへの要求を抑制させる命令を含む。その要求は、既存の音声およびデータの通信におけるパケットデータ送信のためのさらなるネットワークリソース、または既存の音声通信におけるパケットデータ送信のための新たなネットワークリソースを求めるものである。抑制は、ワイヤレス通信リンクのコンディション、および送信されている既存のワイヤレス通信のタイプに少なくとも部分的に基づく。
【００１７】
[0017]  一実施形態では、その媒体は、装置の少なくとも１つのプロセッサによって実行されるとき、装置に新たなセッションの確立を求める要求を受信させる命令を含むことができる。その媒体はさらに、装置の少なくとも１つのプロセッサによって実行されるとき、装置に現在のワイヤレス通信セッションの品質を決定させる命令を含むことができる。その媒体はさらに、装置の少なくとも１つのプロセッサによって実行されるとき、装置に現在のワイヤレス通信セッションの十分な品質に基づいてワイヤレス通信ネットワークへの新たなセッションの確立要求を送信させる命令を含むことができる。その媒体はさらに、装置の少なくとも１つのプロセッサによって実行されるとき、装置に現在のワイヤレス通信セッションの不十分な品質に基づいて新たなセッションの確立要求を拒絶させる命令を含むことができる。
【図面の簡単な説明】
【００１８】
[0018]  本開示の特徴が詳細に理解されうるように、上では簡潔に概要を述べた、より具体的な説明が、態様を参照して行われることができ、その態様のいくつかは、添付の図面に例示されている。しかしながら、添付の図面は、本開示のある典型的な態様のみを例示しており、それゆえ、説明が他の同等に効果的な態様を認めうるためにその範囲を限定するものとして考えられるべきではないことに留意すべきである。
【図１】ワイヤレス通信システムの例示的な機能ブロック図。
【図２】ワイヤレス端末と基地局のような、通信ノード間での通信を容易にするために用いられうるコンポーネントの例示的な機能ブロック図。
【図３】基地局１０１とワイヤレス端末１００との間に生じうるプロトコル交換を例示する図。
【図４】図１のワイヤレス端末におけるワイヤレスコンディションに基づく通信の方法のインプリメンテーションを例示する例示的なフローチャート。
【図５】図１のワイヤレス端末におけるワイヤレスコンディションに基づく通信の方法の別のインプリメンテーションを例示する例示的なフローチャート。
【図６】別のワイヤレス端末の例示的な機能ブロック図。
【図７】別のワイヤレス端末の例示的な機能ブロック図。
【００１９】
[0026]  共通の実施によると、図面で例示されている様々な特徴は正寸でないことがある。したがって、その様々な特徴の寸法は、明確性のために任意で拡張または縮小されうる。加えて、図面のいくつかは、所与のシステム、方法、またはデバイスのコンポーネントの全てを描写していないことがある。最後に、明細書および図面を通じて、同一の参照番号は、同一の特徴を表示するために使用されうる。
【詳細な説明】
【００２０】
[0027]  添付の請求項の範囲内のインプリメンテーションの様々な態様が以下で記述されている。ここに記述されている態様は、幅広い種類の形式でインプリメントされ、ここに記述されているあらゆる指定の構造および／または機能は例示的なものにすぎないことは明確であるべきである。本開示に基づいて、当業者は、ここに記述されている態様が、あらゆる他の態様とは独立してインプリメントされ、これらの態様のうちの２つ以上が、様々な手法で組み合わされうることを認識すべきである。例えば、ここで述べられているあらゆる数の態様を使用して、装置がインプリメントされ、ならびに／あるいは、方法が実施されうる。加えて、ここで述べられている態様の１つまたは複数に加えて、または述べられている態様の１つまたは複数以外の、他の構造および／または機能を使用して、そのような装置がインプリメントされ、ならびに／あるいはそのような方法が実施されうる。
【００２１】
[0028]  ここに記述されている技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ―ＦＤＭＡ）ネットワーク等のような様々なワイヤレス通信ネットワークのために使用されうる。「ネットワーク」および「システム」という用語は、しばしば交換可能に使用される。ＣＤＭＡネットワークは、ユニバーサル地上無線アクセス（ＵＴＲＡ）、ｃｄｍａ２０００等のような無線技術をインプリメントしうる。ＵＴＲＡは、広帯域ＣＤＭＡ（Ｗ―ＣＤＭＡ（登録商標））および低チップレート（ＬＣＲ）を含む。ｃｄｍａ２０００は、ＩＳ―２０００規格、ＩＳ―９５規格、およびＩＳ―８５６規格をカバーする。ＴＤＭＡネットワークは、モバイル通信のためのグローバルシステム（ＧＳＭ（登録商標））のような無線技術をインプリメントしうる。ＯＦＤＭＡネットワークは、発展型ＵＴＲＡ（Ｅ―ＵＴＲＡ）、ＩＥＥＥ  ８０２．１１、ＩＥＥＥ  ８０２．１６、ＩＥＥＥ  ８０２．２０、ＩＥＥＥ  ８０２．２２、フラッシュ―ＯＦＤＭＡ等のような無線技術をインプリメントしうる。ＵＴＲＡ、Ｅ―ＵＴＲＡ、およびＧＳＭは、ユニバーサルモバイルテレコミュニケーションシステム（ＵＭＴＳ）の一部である。ロングタームエボリューション（ＬＴＥ）は、Ｅ―ＵＴＲＡを使用するＵＭＴＳの最新の（upcoming）リリースである。ＵＴＲＡ、Ｅ―ＵＴＲＡ、ＧＳＭ、ＵＭＴＳ、およびＬＴＥは、「第３世代パートナーシッププロジェクト」（３ＧＰＰ）と命名された組織による文書に記述されている。同様に、ｃｄｍａ２０００は、「第３世代パートナーシッププロジェクト２」（３ＧＰＰ２）と命名された組織による文書に記述されている。
【００２２】
[0029]  いくつかの態様では、ここにおける教示がマクロスケールのカバレッジ（例えば、マクロセルネットワークと通常呼ばれる３Ｇネットワークのような広範囲にわたるセルラネットワーク）およびより小さなスケールのカバレッジ（例えば、住居や建物をベースとするネットワーク環境）を含むネットワークに用いられうる。ワイヤレス端末（ＷＴ）またはユーザ機器（ＵＥ）が、そのようなネットワークの中を通って移動すると、ワイヤレス端末は、より小さなスケールのカバレッジ、例えばフェムトノード（ＦＮ）を提供するアクセスノードによって他のロケーションでサービス提供されながら、ワイヤレス端末は、マクロカバレッジを提供する基地局（ＢＳ）またはアクセスノード（ＡＮ）によってあるロケーションにおいてサービス提供されうる。いくつかの態様では、より狭いカバレッジのノードが、（例えば、より強固なユーザエクスペリエンスのために）増加する容量の伸び、建物内でのカバレッジ、および異なるサービスを提供するために使用されうる。ここでの議論では、比較的広いエリアをわたるカバレッジを提供するノードは、マクロノードとして称されうる。比較的狭いエリア（例えば、住宅）をわたるカバレッジを提供するノードは、フェムトノードとして称されうる。マクロエリアよりも狭く、かつフェムトエリアよりも広いエリアをわたるカバレッジを提供する（例えば、商業施設内のカバレッジを提供する）ノードは、ピコセルとして称されうる。
【００２３】
[0030]  マクロノード、フェムトノード、またはピコノードに関連付けられたセルは、それぞれマクロセル、フェムトセル、またはピコセルとして称されうる。いくつかのインプリメンテーションでは、各セルは１つまたは複数のセクタにさらに関連付けられうる（例えば、分割されうる）。
【００２４】
[0031]  様々なアプリケーションでは、他の用語が、マクロノード、フェムトノード、またはピコノードを参照するために使用されうる。例えばマクロノードは、アクセスノード、アクセスポイント、基地局、ノードＢ、ｅノードＢ、マクロセル等として構成または称されうる。また、フェムトノードは、ホームノードＢ（ＨＮＢ）、ホームｅノードＢ（ＨｅＮＢ）、アクセスポイントのアクセスポイント（access point access point）、フェムトセル等として構成または称されうる。
【００２５】
[0032]  図１は、ワイヤレス通信システムの例示的な機能ブロック図を提示している。ワイヤレス通信システム１０は、第１の通信リンク１６１および第２の通信リンク１６３をわたって互いに通信する少なくとも１つの基地局１０１および少なくとも１つのワイヤレス端末１００を含みうる。第１および第２の通信リンク１６１、１６３の各々は、単一のパケットが各サイクルの間に送信されうる単一パケット通信リンク、または、複数のパケットが各サイクルの間に送信されうる複数パケット通信リンクでありうる。例えば、第１の通信リンク１６１は、０、１、または２つのパケットが各サイクルの間に送信されうるデュアルパケット通信リンクでありうる。
【００２６】
[0033]  図１で提示されているインプリメンテーションでは、ワイヤレス端末１００は、メモリ１２０に結合されたプロセッサ１１０、入力デバイス１３０、および出力デバイス１４０を含む。そのプロセッサは、モデム１５０およびトランシーバ１６０と結合されうる。提示されているトランシーバ１６０はまた、モデム１５０およびアンテナ１７０と結合される。ワイヤレス端末１００およびそのコンポーネントは、バッテリ１８０および／または外部電力ソースによって電力供給されうる。いくつかのインプリメンテーションでは、バッテリ１８０、またはその一部は、電力インタフェース１９０を介して外部電力ソースによって再充電可能である。別々に記述されているけれども、ワイヤレス端末１００に関して記述された機能ブロックは、別々の構造エレメントである必要はないことは認識されるべきである。例えば、プロセッサ１１０およびメモリ１２０は、単一チップ内にインプリメントされうる。同様に、プロセッサ１１０、モデム１５０、およびトランシーバ１６０の２つ以上が単一チップにおいてインプリメントされうる。
【００２７】
[0034]  プロセッサ１１０は、汎用プロセッサ、デジタル信号プロセッサ（ＤＳＰ）、特定用途向け集積回路（ＡＳＩＣ）、フィールドプログラマブルゲートアレイ（ＦＰＧＡ）またはその他のプログラマブル論理デバイス、ディスクリートゲートまたはトランジスタ論理、ディスクリートハードウェアコンポーネント、あるいはここに記述されている機能を実行するように設計されたこれらのあらゆる適した組み合わせでありうる。プロセッサはまた、例えば、ＤＳＰとマイクロプロセッサの組み合わせ、複数のマイクロプロセッサ、ＤＳＰコアと連携した１つまたは複数のマイクロプロセッサ、あるいはその他のあらゆるこのような構成であるコンピューティングデバイスの組み合わせとしてインプリメントされうる。
【００２８】
[0035]  図１で提示されているインプリメンテーションでは、プロセッサ１１０は、１つまたは複数のバスを介して、メモリ１２０から情報を読み取り、またはメモリ１２０に情報を書き込むように結合されうる。プロセッサは、これに加えて、あるいはその代わりに、プロセッサレジスタのようなメモリを含むことができる。メモリ１２０は、異なるレベルが異なる容量およびアクセス速度を有する複数レベル階層キャッシュを含むプロセッサキャッシュを含むことができる。メモリ１２０はまた、ランダムアクセスメモリ（ＲＡＭ）、その他の揮発性記憶デバイス、または不揮発性記憶デバイスを含むことができる。記憶装置は、ハードドライブ、コンパクトディスク（ＣＤｓ）またはデジタルビデオディスク（ＤＶＤｓ）等の光ディスク、フラッシュメモリ、フロッピー（登録商標）ディスク、磁気テープ、およびＺｉｐドライブを含むことができる。
【００２９】
[0036]  プロセッサ１１０はまた、ワイヤレス端末１００のユーザから入力を受信する、ならびにワイヤレス端末１００のユーザに出力を提供するために構成された入力デバイス１３０および出力デバイス１４０と結合される。適した入力デバイスは、キーボード、ボタン、キー、スイッチ、ポインティングデバイス、マウス、ジョイスティック、遠隔制御、赤外検出器、（例えば、手のジェスチャまたは顔のジェスチャを検出するための、可能であればビデオ処理ソフトウェアに結合された）ビデオカメラ、動き検出器、または（例えば、音声コマンドを検出するために、可能であればオーディオ処理ソフトウェアに結合された）マイクロフォンを、これらに限定されないけれども含むことができる。適した出力デバイスは、ディスプレイおよびプリンタを含む視覚出力デバイス、スピーカ、ヘッドホン、イヤホン、およびアラームを含むオーディオ出力デバイス、フォースフィードバック付ゲームコントローラおよび振動デバイスを含むハプティック出力デバイスを、これらに限定されないけれども含むことができる。
【００３０】
[0037]  そのプロセッサ１１０は、モデム１５０およびトランシーバ１６０と結合されうる。モデム１５０およびトランシーバ１６０は、アンテナ１７０を介した通信リンク１６１、１６３をわたるワイヤレス送信のためのプロセッサ１１０によって生成されたデータを準備するように構成されうる。モデム１５０およびトランシーバ１６０はまた、アンテナ１７０を介し、通信リンク１６１、１６３をわたって受信されたデータを復調する。いくつかの実施形態では、モデム１５０およびトランシーバ１６０は、１つまたは複数のエアインタフェース規格にしたがって動作するように構成されうる。トランシーバは、送信機１６２、受信機１６４、または両方を含むことができる。他のインプリメンテーションでは、送信機１６２および受信機１６４は、２つの別個のコンポーネントである。モデム１５０およびトランシーバ１６０は、汎用プロセッサ、デジタル信号プロセッサ（ＤＳＰ）、特定用途向け集積回路（ＡＳＩＣ）、フィールドプログラマブルゲートアレイ（ＦＰＧＡ）またはその他のプログラマブル論理デバイス、ディスクリートゲートまたはトランジスタ論理、ディスクリートハードウェアコンポーネント、あるいはここに記述されている機能を実行するように設計されたこれらのあらゆる適した組み合わせとしてインプリメントされうる。アンテナ１７０は、多入力／多出力（ＭＩＭＯ）通信のために複数のアンテナを含むことができる。
【００３１】
[0038]  ワイヤレス端末１００およびそのコンポーネントは、バッテリ１８０および／または外部電力ソースによって電力供給されうる。バッテリ１８０は、エネルギーを格納するあらゆるデバイスであることができ、特に、科学エネルギーを格納し、それを電気エネルギーとして提供するあらゆるデバイスであることができる。バッテリ１８０は、リチウムポリマバッテリ、リチウムイオンバッテリ、ニッケル水素バッテリ、またはニッケルカドミウムバッテリ、を含む１つまたは複数の二次的セル、あるいは、アルカリ性バッテリ、リチウムバッテリ、酸化銀バッテリ、または亜鉛炭素バッテリを含む１つまたは複数の主要セルを含むことができる。外部電力ソースは、壁コンセント、乗り物のシガーソケット、ワイヤレスエネルギー転送プラットフォーム、または太陽を含むことができる。
【００３２】
[0039]  いくつかのインプリメンテーションでは、バッテリ１８０、またはその一部は、電力インタフェース１９０を介して外部電力ソースによって再充電可能である。電力インタフェース１９０は、バッテリ充電器を接続するためのプラグ差込み口、近接場ワイヤレスエネルギー転送のための誘導子、または太陽エネルギーを電気エネルギーにコンバートするための光起電性（photovoltaic）パネルを含むことができる。
【００３３】
[0040]  いくつかのインプリメンテーションでは、ワイヤレス端末１００は、モバイル電話、携帯情報端末（ＰＤＡ）、ハンドヘルドコンピュータ、ラップトップコンピュータ、ワイヤレスデータアクセスカード、ＧＰＳ受信機／ナビゲータ、カメラ、ＭＰ３プレイヤ、ビデオカメラ、ゲーム機、腕時計、時計、またはテレビである。
【００３４】
[0041]図１で提示されているように、基地局１０１はまた、メモリ１１２およびトランシーバ１６５に結合されたプロセッサ１１１を少なくとも含む。トランシーバ１６５は、アンテナ１７１に結合された送信機１６７および受信機１６６を含む。プロセッサ１１１、メモリ１１２、トランシーバ１６５、およびアンテナ１７１は、ワイヤレス端末１００に関して上で記述されたようにインプリメントされうる。
【００３５】
[0042]  図１のワイヤレス通信システム１０では、基地局１０１は、第１の通信リンク１６１および／または第２の通信リンク１６３を通じて、ワイヤレス端末１００にデータパケットを送信することができる。
【００３６】
[0043]  図２は、ワイヤレス端末１００と基地局１０１のような、通信ノード間での通信を容易にするために用いられうるコンポーネントの例示的な機能ブロック図を提示している。具体的には、図２は、通信システム２００の第１のワイヤレスデバイス１０１（例えば、基地局）および第２のワイヤレスデバイス１００（例えば、ワイヤレス端末）の簡略化されたブロック図である。第１のデバイス１０１では、いくつかのデータストリームに対するトラフィックデータがデータソース２１２から送信（ＴＸ）データプロセッサ２１４に提供される。
【００３７】
[0044]  いくつかのインプリメンテーションでは、各データストリームは、それぞれの送信アンテナをわたって送信される。ＴＸデータプロセッサ２１４は、そのデータストリームに対して選択された特定のコード化スキームに基づいて、各データストリームに対するトラフィックデータをフォーマット化し、コード化し、インターリーブするように構成されうる。
【００３８】
[0045]  各データストリームに対するコード化されたデータはＯＦＤＭ技法を用いてパイロットデータで多重化されうる。パイロットデータは通常、既知の方法で処理される既知のデータパターンであり、受信機システムでチャネル応答を推定するために使用されうる。その後、各データストリームに対する多重化されたパイロットおよびコード化されたデータは、変調シンボルを提供するために、そのデータストリームに対して選択された特定の変調スキーム（例えば、ＢＰＳＫ、ＱＳＰＫ、Ｍ―ＰＳＫ、または、Ｍ―ＱＡＭ）に基づいて、変調（シンボルマッピング）される。各データストリームに関するデータレート、コード化、および変調は、プロセッサ２３０によって実行される命令によって決定されうる。データメモリ２３２は、デバイス２１０の、プロセッサ２３０または他のコンポーネントによって使用される、プログラムコード、データ、および他の情報を記憶しうる。
【００３９】
[0046]  図２で提示されているインプリメンテーションでは、いくつかのデータストリームに対する変調シンボルがＴＸ  ＭＩＭＯプロセッサ２２０に提供され、ＴＸ  ＭＩＭＯプロセッサ２２０はさらに、（例えば、ＯＦＤＭのために）変調シンボルを処理しうる。ＴＸ  ＭＩＭＯプロセッサ２２０はその後、変調シンボルストリームをトランシーバ（ＸＣＶＲ）２２２Ａ―２２２Ｔに提供する。いくつかの態様において、ＴＸ  ＭＩＭＯプロセッサ２２０は、データストリームのシンボルに、およびそのシンボルが送信されるアンテナに、ビームフォーミング重みを適用する。
【００４０】
[0047]  各トランシーバ２２２は、１つまたは複数のアナログ信号を提供するためにそれぞれのシンボルストリームを受信および処理し、さらにチャネルをわたる送信に適した変調された信号を提供するためにアナログ信号を調整（例えば、増幅、フィルタリング、およびアップコンバート）する。トランシーバ２２２Ａ―２２２Ｔからの変調された信号は、その後アンテナ２２４Ａ―２２４Ｔからそれぞれ送信される。
【００４１】
[0048]  第２のデバイス１００では、送信された、変調された信号がアンテナ２５２Ａ―２５２Ｒにより受信され、各アンテナ２５２からの受信された信号がそれぞれのトランシーバ（ＸＣＶＲ）２５４Ａ―２５４Ｒに提供される。各トランシーバ２５４は、それぞれの受信された信号を調整（例えば、フィルタリング、増幅、およびダウンコンバート）し、サンプルを提供するために調整された信号をデジタル化し、対応する「受信された」シンボルストリームを提供するためにサンプルをさらに処理する構成されうる。
【００４２】
[0049]  受信（ＲＸ）データプロセッサ１６５は、その後、トランシーバ２５４からの受信されたシンボルストリームを受信し、「検出された」シンボルストリームを供給するために、特定の受信機処理技法に基づいてこれらを処理する。ＲＸデータプロセッサ１６５は、データストリームに対するトラフィックデータを回復させるために、各検出されたシンボルストリームを復調、デインターリーブ、および復号する。ＲＸデータプロセッサ１６５による処理は、デバイス２１０においてＴＸ  ＭＩＭＯプロセッサ２２０およびＴＸデータプロセッサ２１４によって実行されるものと補完的である。
【００４３】
[0050]  プロセッサ２７０は、通信リンクおよび／または受信されたデータストリームに関する様々なタイプの情報を備えうる、アップリンクメッセージを組織立てる（formulate）。その後、逆方向リンクメッセージは、データソース２３６からいくつかのデータストリームに対するトラフィックデータも受信するＴＸデータプロセッサ２３８によって処理され、変調器２８０によって変調され、トランシーバ２５４Ａ―２５４Ｒによって調整され、ならびにデバイス１０１に返送される。
【００４４】
[0051]  デバイス１０１では、第２のデバイス１００からの変調された信号がアンテナ２２４によって受信され、トランシーバ２２２によって調整され、復調器（ＤＥＭＯＤ）２４０により復調され、ならびに、第２のデバイス１００によって送信されたアップリンクメッセージを抽出するために、ＲＸデータプロセッサ２４２によって処理される。プロセッサ２３０はその後、抽出されたメッセージを処理する。
【００４５】
[0052]  図２はまた、通信コンポーネントが、アクセス制御を実行する１つまたは複数のコンポーネントを含むことができることを例示している。例えば、アクセス制御コンポーネント２９０が、別のデバイス（例えば、デバイス１００）への／から信号を伝送／受信するために、プロセッサ２３０および／またはデバイス１０１の他のコンポーネントと協働しうる。同様に、アクセス制御コンポーネント２９２は、別のデバイス（例えば、デバイス１０１）に／から信号を伝送／受信するために、プロセッサ２７０および／またはデバイス１００の他のコンポーネントと協働しうる。各デバイス１０１および１００について、記述されているコンポーネントのうちの２つ以上のコンポーネントの機能が単一のコンポーネントによって提供されうることが認識されるべきである。例えば、単一の処理コンポーネントは、アクセス制御コンポーネント２９０およびプロセッサ２３０の機能を提供し、単一の処理コンポーネントは、アクセス制御コンポーネント２９２およびプロセッサ２７０の機能を提供しうる。
【００４６】
[0053]  図３は、基地局１０１とワイヤレス端末１００との間に生じうるプロトコル交換を例示している。基地局１０１とワイヤレス端末１００との間のインタフェースは、各々が上位および／または下位の次のレイヤに特定のサービスを与えるいくつかのプロトコルレイヤから成るプロトコルスタックによって記述されうる。例えば、時により無線リソース制御（ＲＲＣ）レイヤとして称される、プロトコルスタックのトップレイヤは、ワイヤレス端末１００へのワイヤレス接続を制御するためのシグナリングを制御しうる。このレイヤは、加えて、基地局１０１からワイヤレス端末１００の態様の制御を提供し、無線ベアラ、物理チャネル、異なるチャネルタイプのマッピング、測定、および他の機能を制御するための機能を含むことができる。
【００４７】
[0054]  ＲＲＣプロトコルにしたがって、ワイヤレス端末１００は、パケットデータ送信のためのネットワークリソースを要求しうる。いくつかのインプリメンテーションでは、これはトラフィックボリューム測定レポートを実行することによって達成されうる。例えば、ワイヤレス端末１００は、基地局１０１に、パケットデータ送信のためのネットワークリソースを求める要求３１５を送信しうる。要求３１５は、例えば、トランスポートチャネルトラフィックボリュームがしきい値よりも大きいことを示しうる。代わりとして、要求３１５は、トランスポートチャネルトラフィックボリュームがしきい値よりも小さくなったことを示しうる。
【００４８】
[0055]  ネットワークリソースを求める要求３１５は、例えば、タイマの満了で周期的に伝送されうる。代わりとして、これらの要求は、特定のコンディションが生じるときに伝送されうる。例えば、ネットワークリソースを求める要求３１５は、ワイヤレス端末１０１によって保持されるトランスポートチャネルトラフィックボリュームが上記で記述されたしきい値の１つを超えるときに伝送されうる。
【００４９】
[0056]  ネットワークリソースを求める要求を受信することによって、基地局１０１はワイヤレス端末１００からのデータのフローを監視しうる。さらに、他のワイヤレス端末（図示せず）もまた、基地局１０１に、トラフィックボリューム測定またはネットワークリソースを求める要求３１５を伝送しうる。ネットワークリソースを求める要求３１５に応答して、基地局１０１は、無線アクセスベアラ再構成コマンド３２５を送信しうる。再構成コマンド３２５により、基地局１０１が、ワイヤレス端末１００に利用可能な送信ウィンドウサイズを再構成できるようになりうる。送信ウィンドウサイズは、ワイヤレス端末１００から基地局１０１に転送されうるバイトの数を定義しうる。基地局１０１が、トラフィックボリューム測定を介して、ワイヤレス端末１００がチャネル上での送信に利用可能なデータを有することを通知されるとき、基地局１０１は、ワイヤレス端末１００に非０伝送ウィンドウを提供する再構成コマンド３３５に応答しうる。基地局１０１は、その後、ワイヤレス端末１００が基地局１０１にデータを伝送するときおよび場合、追跡するためのタイマ３３０を確立しうる。
【００５０】
[0057]  ワイヤレス通信コンディションは、非ゼロ伝送ウィンドウが再構成コマンド３２５によって提供された後に、ワイヤレス端末１００が基地局１０１にデータを送信することを防ぎうる。例えば、ワイヤレスコンディションは、ワイヤレス端末１００に、基地局１０１に音声データを伝送するために利用可能な送信電力の大部分を使用させうる。残りの送信電力は、成功したパケットデータ送信ために十分ではないことがある。タイマ３３０が満了する前にワイヤレス端末１００が基地局１０１にデータを送信しない場合、基地局１０１は、ワイヤレス端末１００のために０伝送ウィンドウを指定する別のＲＡＢ再構成コマンド３３５を伝送しうる。
【００５１】
[0058]  ワイヤレス通信リンクのコンディションは、ワイヤレス端末１００が、デバイスによって受信されたワイヤレス信号の品質、デバイスによって受信された信号のエラーレート、デバイスからのパケット再送信の数、デバイスの電力状態、およびワイヤレス通信リンクのリセットのうちの少なくとも１つを含むデータを基地局１０１に送信することを防ぎうる。例えば、デバイスが電力制限状態にあるとき、デバイスは、。
【００５２】
[0059]  パケットデータ送信のためのネットワークリソースを求める要求、またはトラフィックボリューム測定、および再構成コマンドという上記で記述されたシーケンスの後でも、ワイヤレス端末１００によって保持されるトランスポートチャネルトラフィックボリュームの量は依然としてしきい値よりも大きくありうる。ワイヤレス端末１００は、パケットデータ送信のためのネットワークリソースを求める別の要求３４５を伝送しうる。いくつかのインプリメンテーションでは、ワイヤレス端末１００がＲＲＣトラフィックボリューム測定を伝送しうる。前述のように、基地局１０１は、非０伝送ウィンドウを提供しながら、ワイヤレス端末１００にＲＡＢ再構成コマンド３５５を伝送しうる。基地局１０１はまた、再構成コマンド３３５の後に、ワイヤレス端末１００によって伝送されるあらゆるデータを追跡するためにタイム３６０を設定しうる。ワイヤレスコンディションは、ワイヤレス端末１００が非０伝送ウィンドウに応答してデータを伝送することを防ぎ続けることができる。基地局のタイマ３６０が満了した後に、基地局１０１は、伝送ウィンドウを０に設定する別の再構成コマンド３６５を伝送しうる。
【００５３】
[0060]  記述されたプロトコル交換は、反復パターン３８０および３９０を示す。この反復パターン３８０および３９０は、ネットワーク容量を消費し、いくつかのインプリメンテーションでは、ワイヤレス端末１００による電力消費を増加させうる。さらに、この反復パターンが不利なワイヤレスコンディションの間に生じる場合、例示されたメッセージが損失される可能性は増加しうる。損失されたメッセージの数がしきい値を超え、ワイヤレス端末１００がアクティブＭＲＡＢ接続を有する場合、ワイヤレス端末１００は、接続のデータ通信部分だけでなく音声通信部分も断絶しうる。これは、データ通信リンク上で生じる損失されたメッセージに関わらず、生じうる。
【００５４】
[0061]  したがって、単一ＲＡＢ接続（例えば、音声のみの接続）に比較されたＭＲＡＢ接続（例えば、音声およびデータの同時接続）に関する脱落接続のレートが高くなることに寄与する１つの原因は、不利なワイヤレスコンディション下でのワイヤレス端末１００と基地局１０１との間の反復パターン３８０および３９０でありうる。乏しいワイヤレス通信コンディションの間のデータ通信リンクをわたる、ワイヤレス端末１００と基地局１０１との間の反復パターン３８０および３９０は、脱落パケット、それにより脱落接続の可能性を増加させうる。ワイヤレス通信コンディションは、音声接続に適しうる；しかしながら、ワイヤレス端末１００は、１つのワイヤレス接続のみで失敗が生じるとき、全てのワイヤレス接続をリセットするように構成されうる。したがって、ワイヤレス端末１００での脱落ワイヤレス接続を低減する１つの方法は、呼のタイプおよびワイヤレス通信コンディションに基づいて、ワイヤレス端末１００および／または基地局１０１との間のパターン３８０および３９０を防止することを含みうる。例えば、パターン３８０および３９０は、いくつかのインプリメンテーションでは、要求３１５または３４５のような、パケットデータ送信のためのネットワークリソースを求める要求を抑制することによって防止されうる。
【００５５】
[0062]  図４は、図１のワイヤレス端末１００におけるワイヤレスコンディションに基づく通信の方法４００のインプリメンテーションを例示する例示的なフローチャートを提示している。その方法は、例えば図３において例示されているパターン３８０および３９０のような、パケット交換パターンの発生を低減しうる。これらのパターンは、電力消費およびネットワーク利用を増加させうる。加えて、それらは脱落呼の可能性を増加させうる。図４において例示されている方法の使用を通じて、ワイヤレス端末１００の電力消費およびネットワーク利用は低減されうる。加えて、脱落呼の可能性もまた、低減されうる。
【００５６】
[0063]  方法４００は、図１に関して上記で論じられたワイヤレス端末１００を参照してここで記述されているけれども、当業者は、方法４００があらゆる他の適したデバイスによってインプリメントされうることを認識するだろう。ある実施形態では、方法４００は、送信機１６２、受信機１６４、およびメモリ１２０と関連してＣＰＵ１１０によって実行されうる。方法４００は、特定の順序を参照してここで記述されているけれども、様々な実施形態で、ここにおけるブロックは、異なる順序で実行される、または省略されることができ、ならびに追加のブロックが加えられることができる。
【００５７】
[0064]  方法４００は、複数無線アクセスベアラ呼が開始され、ワイヤレス端末１００がリソース要求非抑制モード（resource request non-suppressed mode）において動作するように構成されているブロック４０５で始まる。ブロック４１０で、ワイヤレス通信の品質は決定される。ワイヤレス通信の品質は、ワイヤレス信号品質ファクタ（例えば、受信信号コード電力、受信信号強度、パイロットチャネル品質、チャネル品質インジケータ）、ブロックエラーレート（例えば、物理レイヤ、媒体アクセス制御レイヤ、無線リンク制御レイヤ）、ワイヤレス端末１００によって再送信されるパケットの数、基地局１０１によって肯定応答されるパケットの数、基地局１０１によって肯定応答されないパケットの数、無線リンク制御レイヤのリセットの発生、しきい値を超えるデバイス１００の送信電力、または乏しいワイヤレス通信コンディションの他の兆候のうちの１つまたは複数に基づいて、決定されうる。いくつかのインプリメンテーションでは、コントローラは、１つまたは複数の検出器から直接的に、または間接的に様々な品質インジケータを得ることができる。検出器は、メモリに検出された品質インジケータを記憶することによって品質インジケータを提供しうる。その品質は、個別、または集約評価（例えば、ファクタに対する平均値、複数のファクタを含む複合の算定）でありうる。
【００５８】
[0065]  決定ブロック４１５で、決定された品質は、通信モードにおけるスイッチが適切であるかを決定するために評価される。例えば、図１において例示されているデバイス１００のＣＰＵ１１０のようなプロセッサは、例えば図１のメモリ１２０のようなメモリに記憶されたしきい値のワイヤレス品質レベルと決定された品質を比較しうる。品質がスイッチが必要とされないコンディションを示すケースでは、方法４００は決定ブロック４２０に続く。決定ブロック４２０で、方法４００は、呼が依然としてアクティブであるかどうかを決定する。呼がアクティブである場合、方法４００は、再びワイヤレス通信の品質を評価するためにブロック４１０に戻る。いくつかの構成ではタイマは、ブロック４１０の決定が指定された間隔で行われるように含まれうる。
【００５９】
[0066]  ブロック４１５に戻ると、品質が、スイッチが必要とされるコンディションを示す場合、方法４００はブロック４２５に続く。ブロック４２５で、ワイヤレス端末１００におけるデータ無線ベアラに対する現在の要求抑制モードが決定される。１インプリメンテーションにしたがって、ワイヤレス端末１００に対する要求抑制モードは：デバイス開始型リソース要求抑制モード（device-initiated resource request suppressed mode）、またはＲＡＮによって主に構成されるリソース要求非抑制モードを含むことができる。リソース要求非抑制モードでは、モバイル端末１００は、基地局１０１とのインタフェースを定義するプロトコルの仕様によって定義されるように、パケットデータ送信のためのネットワークリソースを求める要求を伝送しうる。例えば、ワイヤレス端末１００は、基地局１０１に送信されるように待機するデータを有するとき、パケットデータ送信のためのネットワークリソースを求める要求３１５を伝送しうる。
【００６０】
[0067]  リソース要求抑制モードでは、ワイヤレス端末１００は、リソース要求非抑制モードにあるときに使用される方法から、ネットワークリソースを求める要求３１５を伝送すべきかどうかを決定するために利用される方法を変更しうる。例えば、いくつかの態様では、ワイヤレス端末１００は、基地局１０１に送信されるように待機するデータが存在するとき、パケットデータ送信のためのネットワークリソースを求める要求３１５を伝送しない、言い換えれば抑制することができる。リソース要求非抑制モードにあるときは、ワイヤレス端末１００は、基地局１０１に送信されるように待機するデータを有するとき、パケットデータ送信のためのネットワークリソースを求める要求３１５を伝送しうる。
【００６１】
[0068]  いくつかの態様では、ワイヤレス端末１００は、リソース要求モードに基づいて、パケットデータ送信のためのネットワークリソースを求める要求３１５をいつ伝送すべきか決定するために使用されるしきい値を増加させることができる。例えば、リソース要求非抑制モードで動作するとき、ワイヤレス端末１００は、送信のために待機しているデータの量を第１のしきい値と比較することができる。データの量が第１のしきい値よりも下であるとき、ワイヤレス端末１００は、パケットデータ送信のためのネットワークリソースを求める要求３１５を伝送しないことがある。送信を待機しているデータの量が第１のしきい値よりも上であるとき、ワイヤレス端末１００は、パケットデータ送信のためのネットワークリソースを求める要求３１５を伝送することができる。
【００６２】
[0069]  リソース要求抑制モードにあるとき、ワイヤレス端末１００は、送信のために待機しているデータの量を第２のしきい値と比較することができる。データの量が第２のしきい値よりも下であるとき、ワイヤレス端末１００は、パケットデータ送信のためのネットワークリソースを求める要求３１５を伝送しないことがある。送信のために待機しているデータの量が第２のしきい値よりも上であるとき、ワイヤレス端末１００は、パケットデータ送信のためのネットワークリソースを求める要求３１５を伝送することができる。いくつかの態様では、第２のしきい値は、第１のしきい値よりも大きいことがある。
【００６３】
[0070]  ブロック４３０で、現在の要求抑制モードが、要求非抑制モードである場合、方法４００は、ブロック４３５に続く。ブロック４３５で、ワイヤレス端末１００は、パケットデータ送信のためのリソース要求３１５を抑制することによって、デバイス開始型リソース要求抑制モードにスイッチするように構成される。逆に、ブロック４３０に戻り、現在のＲＬＣモードがデバイス開始型リソース要求抑制モードである場合、方法はブロック４４０に続く。ブロック４４０で、ワイヤレス端末１００は、ネットワーク構成にしたがってネットワークリソース要求３１５を伝送するように構成される。
【００６４】
[0071]  図５は、図１のワイヤレス端末１００における送信電力制御の方法５００の別のインプリメンテーションを例示するフローチャートである。方法５００は、図１に関して上記で論じられたワイヤレス端末１００を参照してここで記述されているけれども、当業者は、方法５００があらゆる他の適したデバイスによってインプリメントされうることを認識するだろう。ある実施形態では、方法５００は、送信機１６２、受信機１６４、およびメモリ１２０と関連してＣＰＵ１１０によって実行されうる。方法５００は、特定の順序を参照してここで記述されているけれども、様々な実施形態で、ここにおけるブロックは、異なる順序で実行される、または省略されることができ、ならびに追加のブロックが加えられることができる。
【００６５】
[0072]  方法５００は、ワイヤレス端末１００がワイヤレス通信リンクを確立するブロック５０２で始まる。ブロック５０４で、ワイヤレス端末１００は、図３のリソース要求３１５のような、パケットデータ送信のためのネットワークリソースを求める要求を抑制する。様々な実施形態で、その要求は、既存の音声およびデータの通信におけるパケットデータ送信のためのさらなるネットワークリソース、および既存の音声通信におけるパケットデータ送信のための新たなネットワークリソースのうちの１つまたは複数を求める要求を含むことができる。ネットワークリソース要求は、上記で論じられた品質ファクタ、および／またはワイヤレス通信のタイプ（例えば、ＭＲＡＢ）のような、ワイヤレス通信リンクのコンディションに少なくとも部分的に基づいて抑制されうる。
【００６６】
[0073]  図６は、図３のワイヤレス端末１００のような、別のワイヤレス端末の例示的な機能ブロック図を提示している。当業者は、ワイヤレス端末が、図６に例示された簡略化されたワイヤレス端末６００よりも多いコンポーネントを有することができることを認識するだろう。ワイヤレス端末６００は、請求項の範囲内のインプリメンテーションのいくつかの卓越した特徴を記述するのに役立つそれらのコンポーネントのみを例示している。
【００６７】
[0074]  ワイヤレス端末６００は、確立回路６３０、抑制回路６４０、送信回路６５０、およびアンテナ６６０を含む。１インプリメンテーションでは、確立回路６３０は、ワイヤレス通信リンクを確立するように構成されている。１インプリメンテーションでは、確立するための手段は確立回路６３０を含む。１インプリメンテーションでは、抑制回路６４０は、ワイヤレス通信リンクのコンディションおよびワイヤレス通信のタイプに少なくとも部分的に基づいてパケットデータ送信のためのネットワークリソースを求める要求を抑制するように構成されている。いくつかのインプリメンテーションでは、抑制するための手段は抑制回路６４０を含む。送信回路６５０は、アンテナ６６０を介して基地局に、トラフィックボリューム要求を含むデータを送信することができる。１インプリメンテーションでは、送信するための手段は送信回路６５０を含む。
【００６８】
[0075]  図７は、図３のワイヤレス端末１００のような、別のワイヤレス端末の例示的な機能ブロック図を提示している。当業者は、ワイヤレス端末が、図７に例示された簡略化されたワイヤレス端末７００よりも多いコンポーネントを有することができることを認識するだろう。ワイヤレス端末７００は、請求項の範囲内のインプリメンテーションのいくつかの卓越した特徴を記述するのに役立つそれらのコンポーネントのみを含んでいる。
【００６９】
[0076]  ワイヤレス端末７００は、制御回路７１０、決定回路７２０、送信回路７３０、受信回路７４０、およびアンテナ７５０を含む。１インプリメンテーションでは、制御回路は新たなワイヤレス通信セッション開始要求を制御するように構成されている。１インプリメンテーションでは、現在のワイヤレス通信セッションの少なくとも１つの十分な品質に基づいてワイヤレス通信ネットワークに新たなセッションの確立要求を送信するための手段、さらに現在のワイヤレス通信セッションの少なくとも１つの不十分な品質に基づいて新たなセッションの確立要求を拒絶するための手段は、制御回路を含む。１インプリメンテーションでは、決定回路７２０は、例えば、現在進行中の音声通信セッションのような、現在のワイヤレス通信セッションの少なくとも１つの品質を決定するように構成されている。１インプリメンテーションでは、決定するための手段は決定回路を含む。１インプリメンテーションでは、送信回路７３０は、アンテナ７５０を介して基地局にデータを送信するように構成されている。１インプリメンテーションでは、送信するための手段は送信回路を含む。１インプリメンテーションでは、受信回路７４０は、アンテナ７５０を介して基地局からデータを受信するように構成されている。１インプリメンテーションでは、受信するための手段は受信回路を含む。
【００７０】
[0077]  ワイヤレス端末は、ユーザ機器、加入者局、加入者ユニット、移動局、モバイル電話、モバイルノード、遠隔局、遠隔端末、ユーザ端末、ユーザエージェント、ユーザデバイス、または何らかの他の専門用語を備えることができ、これらとしてインプリメントされることができ、または、これらとして周知であることができる。いくつかのインプリメンテーションでは、ワイヤレス端末は、セルラ電話、コードレス電話、セッション開始プロトコル（ＳＩＰ）電話、ワイヤレスローカルループ（ＷＬＬ）局、携帯情報端末（ＰＤＡ）、ワイヤレス接続能力を有するハンドヘルドデバイス、またはワイヤレスモデムに接続されたいくつかの他の適した処理デバイスを備えることができる。したがって、ここで教示された１つまたは複数の態様は、電話（例えば、セルラ電話またはスマートフォン）中に、コンピュータ（例えば、ラップトップ）中に、ポータブル通信デバイス中に、ポータブルコンピューティングデバイス（例えば、パーソナルデータアシスタント）中に、エンターテインメントデバイス（例えば、音楽デバイス、ビデオデバイス、または衛星ラジオ）中に、グローバルポジショニングシステムデバイス中に、あるいは、ワイヤレス媒体を介して通信するように構成されているあらゆる他の適したデバイス中に、組み込まれうる。
【００７１】
[0078]  基地局は、ノードＢ、ｅノードＢ、無線ネットワークコントローラ（ＲＮＣ）、基地局（ＢＳ）、無線基地局（ＲＢＳ）、基地局コントローラ（ＢＳＣ）、基地局トランシーバ（ＢＴＳ）、トランシーバ機能（ＴＦ）、無線トランシーバ、無線ルータ、ベーシックサービスセット（ＢＳＳ）、拡張サービスセット（ＥＳＳ）、またはいくつかの他の類似の専門用語を備えることができ、これらとしてインプリメントされることができ、または、これらとして周知であることができる。
【００７２】
[0079]  いくつかの態様では、基地局は、通信システムのためのアクセスノードを備えることができる。このようなアクセスノードは、例えば、ネットワークへのワイヤード（wired）またはワイヤレスの通信リンクを介しての、ネットワーク（例えば、インターネットのようなワイドエリアネットワークまたはセルラネットワーク）のための接続あるいはネットワーク（例えば、インターネットのようなワイドエリアネットワークまたはセルラネットワーク）への接続を提供しうる。したがって、基地局は、ネットワークまたはいくつかの他の機能にアクセスするために、別のノード（例えば、ワイヤレス端末）を有効にすることができる。加えて、ノードの１つまたは両方が、携帯可能でありうる、またはいくつかのケースでは比較的携帯できないことは認識されるべきである。
【００７３】
[0080]  また、ワイヤレスノードは、非ワイヤレスの方法で（例えば、ワイヤード接続を介して）情報を送信および／または受信することができることがあると理解されるべきである。したがって、ここで論じられている受信機および送信機は、非ワイヤレス媒体を介して通信するための適切な通信インターフェースコンポーネント（例えば、電気または光学インターフェースコンポーネント）を含むことができる。
【００７４】
[0081]  ワイヤレス端末またはノードは、あらゆる適したワイヤレス通信技術に基づく、あるいはそうでなければこれらをサポートする１つまたは複数のワイヤレス通信リンクを介して通信することができる。例えば、いくつかの態様では、ワイヤレス端末はネットワークと提携することができる。いくつかの態様では、ネットワークは、ローカルエリアネットワーク、またはワイドエリアネットワークを備えることができる。ワイヤレス端末は、（例えば、ＣＤＭＡ、ＴＤＭＡ、ＯＦＤＭ、ＯＦＤＭＡ、ＷｉＭＡＸ（登録商標）、Ｗｉ-Ｆｉ（登録商標）等）ここで論じられているもののような様々なワイヤレス通信技術、プロトコル、または規格の１つまたは複数をサポート、またはそうでなければ使用することができる。同様に、ワイヤレス端末は、様々な対応する変調または多重化スキームの１つまたは複数をサポート、またはそうでなければ使用することができる。したがって、ワイヤレス端末は、上記、または他のワイヤレス通信技術を使用する１つまたは複数のワイヤレス通信リンクを介して確立および通信するための適切なコンポーネント（例えば、エアインタフェース）を含むことができる。例えば、ワイヤレス端末は、ワイヤレス媒体をわたる通信を容易にする様々なコンポーネント（例えば、信号生成器および信号プロセッサ）を含むことができる関連する送信機および受信機コンポーネントを有するワイヤレストランシーバを備えることができる。
【００７５】
[0082]  「第１の」、「第２の」等のような指定を用いた、ここにおける要素へのいずれの参照も、概して、それらの要素の順序および品質を限定しないことが理解されるべきである。むしろ、これらの指定は、２つ以上の要素または要素の事例の間で区別する便利な方法としてここで使用されうる。したがって、第１および第２の要素への参照は、そこで２つだけの要素しか用いられないこと、あるいは何らかの方法で第１の要素が第２の要素に先行しなければならないことも、意味していない。また、特に明記されていない限り、要素のセットは、１つまたは複数の要素を備えうる。
【００７６】
[0083]  当業者は、情報および信号は、様々な異なる技術および技法のうちのいずれかを用いて表されうることを理解するであろう。例えば、上記の記述を通して参照されうるデータ、命令群、コマンド、情報、信号、ビット、シンボル、およびチップは、電圧、電流、電磁波、磁界あるいは磁気粒子、光学界または光学粒子、あるいはそれらのあらゆる組み合わせによって表わされうる。
【００７７】
[0084]  当業者はさらに、ここで開示された態様と関係して記述された様々な例示的な論理ブロック、モジュール、プロセッサ、手段、回路、およびアルゴリズムステップが、電子ハードウェア（例えば、ソースコード化またはいくつかの他の技法を使用して設計されうる、デジタルインプリメンテーション、アナログインプリメンテーション、またはこの二つの組み合わせ）、（ここでは便宜上、「ソフトウェア」または「ソフトウェアモジュール」として称されうる）命令を組み込む設計コードまたはプログラムの様々な形式、あるいは両方の組み合わせとしてインプリメントされうる。ハードウェアおよびソフトウェアの互換性を明確に例示するために、様々な例示的なコンポーネント、ブロック、モジュール、回路、およびステップが、概してそれらの機能の観点から上記で記述されていきた。このような機能が、ハードウェアとしてインプリメントされるか、あるいはソフトウェアとしてインプリメントされるかは、特定のアプリケーションおよびシステム全体に課せられる設計制約に依存する。当業者は、各々の特定のアプリケーションに関して、様々な手法で記述された機能をインプリメントすることができるが、このようなインプリメンテーションの決定は、本開示の範囲からの逸脱を引き起こしていると解釈されるべきでない。
【００７８】
[0085]  ここで開示されている態様と関係して記述された、様々な例示的な論理ブロック、モジュール、および回路は、集積回路（ＩＣ）、ワイヤレス端末、または基地局内でインプリメントされる、またはこれらによって実行されることができる。ＩＣは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェアコンポーネント、電子コンポーネント、光学コンポーネント、機械コンポーネント、またはここで記述された機能を行うように設計されたそれらのあらゆる組み合わせを備えることができ、ＩＣ内、ＩＣ外、あるいはその両方に属する命令またはコードを実施することができる。汎用プロセッサはマイクロプロセッサでありうるけれども、代わりとして、プロセッサはあらゆる従来のプロセッサ、コントローラ、マイクロコントローラ、もしくはステートマシンでありうる。プロセッサはまた、例えば、ＤＳＰとマクロプロセッサの組み合わせ、複数のマイクロプロセッサ、ＤＳＰコアに関連した１つまたは複数のマイクロプロセッサ、あらゆる他のそのような構成の組み合わせのような、コンピュータデバイスの組み合わせとしてもインプリメントされうる。
【００７９】
[0086]  あらゆる開示された処理におけるステップのいずれの指定の順序または階層も、サンプルのアプローチの例であることが理解される。設計選好に基づいて、処理におけるステップの指定の順序または階層は、本開示の範囲内にとどまりながら再構成されうることが理解される。付随の方法の請求項は、サンプルの順序において、様々なステップの要素を示し、示された指定の順序または階層に限定されるようには意図されない。
【００８０】
[0087]  記述された機能は、ハードウェア、ソフトウェア、ファームウェア、またはそれらのあらゆる組み合わせにおいてインプリメントされうる。ソフトウェアでインプリメントされる場合、機能は、１つまたは複数の命令またはコードとしてコンピュータ可読媒体上に記憶される、あるいは、１つまたは複数の命令またはコードとしてコンピュータ可読媒体上に送信されうる。コンピュータ可読媒体は、ある場所から別の場所へのコンピュータプログラムの転送を容易にするあらゆる媒体を含む通信媒体およびコンピュータ記憶媒体の両方を含む。記憶媒体は、コンピュータによってアクセスされうるあらゆる利用可能な媒体でありうる。限定ではなく例として、このようなコンピュータ可読媒体は、ＲＡＭ、ＲＯＭ、ＥＥＰＲＯＭ（登録商標）、ＣＤ―ＲＯＭまたは他の光ディスク記憶装置、磁気ディスク記憶装置または他の磁気記憶デバイス、あるいはコンピュータによってアクセスされることができる命令またはデータ構成の形式で所望のプログラムコードを搬送または記憶するために使用されることができるあらゆる他の媒体を含む。また、あらゆる接続は、コンピュータ可読媒体と厳密には呼ばれうる。例えば、ソフトウェアが、ウェブサイト、サーバ、または他の遠隔ソースから、同軸ケーブル、光ファイバーケーブル、ツイストペア、デジタル加入者回線（ＤＳＬ）、または赤外線、無線、およびマイクロ波のようなワイヤレス技術を使用して送信される場合、同軸ケーブル、光ファイバーケーブル、ツイストペア、ＤＳＬ、または赤外線、無線、およびマイクロ波のようなワイヤレス技術は、媒体の定義に含まれる。ここで使用される、ディスク（Disk）およびディスク（disc）は、コンパクトディスク（ＣＤ）、レーザディスク、光学ディスク、デジタルバーサタイルディスク（ＤＶＤ）、フロッピーディスク、およびブルーレイ（登録商標）ディスクを含み、ディスク（Disk）はしばしばデータを磁気的に再生し、ディスク（disc）は、レーザで光学的に再生する。上記の組み合わせは、また、コンピュータ可読媒体の範囲内に含まれるべきである。要約すると、コンピュータ可読媒体は、あらゆる適したコンピュータプログラム製品においてインプリメントされることができると理解されるべきである。
【００８１】
[0088]  上の記述は、いずれの当業者も添付の請求項の範囲内のインプリメンテーションを行うまたは使用することを有効にするように提供される。これらの態様に対する様々な改良は当業者に容易に明らかとなり、ここに定義された一般的な原理は、本開示の範囲を逸脱することなく、他の態様に適用されうる。したがって、本開示は、ここに提示された態様に限定されるようには意図されず、ここに開示される原理および新たな特徴と一致する最も広い範囲を与えられることとなる。
【図１】
2014524683.tif 000003
【図２】
2014524683.tif 000004
【図３】
2014524683.tif 000005
【図４】
2014524683.tif 000006
【図５】
2014524683.tif 000007
【図６】
2014524683.tif 000008
【図７】
2014524683.tif 000009
【手続補正書】
【提出日】平成26年4月1日(2014.4.1)
【手続補正１】
【補正対象書類名】特許請求の範囲
【補正対象項目名】全文
【補正方法】変更
【補正の内容】
【特許請求の範囲】
【請求項１】
無線通信の方法であって、
ワイヤレス通信リンクを確立することと、
その後、モバイルワイヤレスデバイスにおいて
既存の音声およびデータの通信におけるパケットデータ送信のためのさらなるネットワークリソース、または
既存の音声通信におけるパケットデータ送信のための新たなネットワークリソース、
を求める、ネットワークへの要求を抑制することと
を備え、
前記抑制することは、前記ワイヤレス通信リンクのコンディション、および送信されている既存のワイヤレス通信のタイプに部分的に基づく、
方法。
【請求項２】
前記抑制された要求は、さらなるリソースを求める要求を備える、請求項１に記載の方法。
【請求項３】
前記抑制することは、前記デバイスによって受信されたワイヤレス信号の品質、前記デバイスによって受信された信号に対するエラーレート、前記デバイスからのパケット再送信の数、前記デバイスの電力状態、および前記ワイヤレス通信リンクのリセット、のうちの少なくとも１つに基づいて、前記ネットワークリソースを求める要求を抑制することを備える、請求項１に記載の方法。
【請求項４】
前記ワイヤレス通信のタイプは、複数無線アクセスベアラ通信を備える、請求項１に記載の方法。
【請求項５】
前記パケットデータ送信のためのネットワークリソースを求める要求は、トラフィックボリューム要求を備える、請求項１に記載の方法。
【請求項６】
前記ワイヤレス通信リンクは、ユニバーサルモバイルテレコミュニケーションシステムを備える、請求項１に記載の方法。
【請求項７】
前記ワイヤレス通信リンクは、３Ｇシステムを備える、請求項１に記載の方法。
【請求項８】
前記抑制することは、複数無線アクセスベアラワイヤレス通信のタイプに基づく、請求項１に記載の方法。
【請求項９】
新たなセッションの確立を求める要求を受信することと、
現在のワイヤレス通信セッションの品質を決定することと、
前記現在のワイヤレス通信セッションの十分な品質に基づいてワイヤレス通信ネットワークへの前記新たなセッションの確立要求を送信することと、
前記現在のワイヤレス通信セッションの不十分な品質に基づいて前記新たなセッションの確立要求を拒絶することと、
をさらに備える、請求項１に記載の方法。
【請求項１０】
前記決定することは、アプリケーションプログラミングインタフェース（ＡＰＩ）を介してアプリケーションレベルで利用可能にされる情報に基づく、請求項９に記載の方法。
【請求項１１】
前記決定することは、新たなセッションの確立要求を受信することに基づく、請求項９に記載の方法。
【請求項１２】
前記決定することは、前記現在のワイヤレス通信セッションの少なくとも１つによって使用される送信電力に基づく、請求項９に記載の方法。
【請求項１３】
前記決定することは、前記新たなワイヤレス通信セッションへの割り当てのために利用可能な残りの送信電力に基づく、請求項９に記載の方法。
【請求項１４】
前記決定することは、前記現在のワイヤレス通信セッションの少なくとも１つの送信のために使用されるトランスポートフォーマットの組み合わせに基づく、請求項９に記載の方法。
【請求項１５】
前記拒絶することは、後のタイムまで、前記新たなセッションの確立要求を遅延させることを備える、請求項９に記載の方法。
【請求項１６】
前記後のタイムは、所定の後のタイムおよびランダムな後のタイムのうちの１つを備える、請求項１５に記載の方法。
【請求項１７】
前記拒絶することは、前記新たなセッションの確立要求を無視することを備える、請求項９に記載の方法。
【請求項１８】
ワイヤレス通信リンクを介して通信するように構成されたデバイスであって、
ワイヤレス通信リンクを確立し、ワイヤレス通信を送信するように構成された送信機と、
既存の音声およびデータの通信におけるパケットデータ送信のためのさらなるネットワークリソース、または
既存の音声通信におけるパケットデータ送信のための新たなネットワークリソース、
を求める、ネットワークへの要求を、前記ワイヤレス通信リンクが確立された後に抑制するように構成されたコントローラと
を備え、
前記コントローラは、前記ワイヤレス通信リンクのコンディション、および送信されている既存のワイヤレス通信のタイプに部分的に基づいて前記要求を抑制するように構成される、
デバイス。
【請求項１９】
前記抑制された要求は、さらなるリソースを求める要求を備える、請求項１８に記載のデバイス。
【請求項２０】
前記コントローラは、前記デバイスによって受信されたワイヤレス信号の品質、前記デバイスによって受信された信号に対するエラーレート、前記デバイスからのパケット再送信の数、前記デバイスの電力状態、および前記ワイヤレス通信リンクのリセット、のうちの少なくとも１つに基づいて、前記要求を抑制するように構成される、請求項１８に記載のデバイス。
【請求項２１】
前記ワイヤレス通信のタイプは、複数無線アクセスベアラ通信を備える、請求項１８に記載のデバイス。
【請求項２２】
前記パケットデータ送信のためのネットワークリソースを求める要求は、トラフィックボリューム要求を備える、請求項１８に記載のデバイス。
【請求項２３】
前記ワイヤレス通信リンクは、ユニバーサルモバイルテレコミュニケーションシステムを備える、請求項１８に記載のデバイス。
【請求項２４】
前記ワイヤレス通信リンクは、３Ｇシステムを備える、請求項１８に記載のデバイス。
【請求項２５】
前記コントローラは、複数無線アクセスベアラワイヤレス通信のタイプに基づいて前記要求を抑制するように構成される、請求項１８に記載のデバイス。
【請求項２６】
前記コントローラは、
新たなセッションの確立を求める要求を受信し、
現在のワイヤレス通信セッションの品質を決定し、
前記現在のワイヤレス通信セッションの十分な品質に基づいてワイヤレス通信ネットワークへの前記新たなセッションの確立要求を送信し、
前記現在のワイヤレス通信セッションの不十分な品質に基づいて前記新たなセッションの確立要求を拒絶する、
ようにさらに構成される、請求項１８に記載のデバイス。
【請求項２７】
前記コントローラは、アプリケーションプログラミングインタフェース（ＡＰＩ）を介してアプリケーションレベルで利用可能にされる情報に基づいて前記品質を決定するように構成される、請求項２６に記載のデバイス。
【請求項２８】
前記コントローラは、新たなセッションの確立要求を受信することに基づいて前記品質を決定するように構成される、請求項２６に記載のデバイス。
【請求項２９】
前記コントローラは、前記現在のワイヤレス通信セッションの少なくとも１つによって使用される送信電力に基づいて前記品質を決定するように構成される、請求項２６に記載のデバイス。
【請求項３０】
前記コントローラは、前記新たなワイヤレス通信セッションへの割り当てのために利用可能な残りの送信電力に基づいて前記品質を決定するように構成される、請求項２６に記載のデバイス。
【請求項３１】
前記コントローラは、前記現在のワイヤレス通信セッションの少なくとも１つの送信のために使用されるトランスポートフォーマットの組み合わせに基づいて前記品質を決定するように構成される、請求項２６に記載のデバイス。
【請求項３２】
前記コントローラは、後のタイムまで前記新たなセッションの確立要求を遅延させることによって、前記新たなセッションの確立要求を拒絶するように構成される、請求項２６に記載のデバイス。
【請求項３３】
前記後のタイムは、所定の後のタイムおよびランダムな後のタイムのうちの１つを備える、請求項３２に記載のデバイス。
【請求項３４】
前記コントローラは、前記新たなセッションの確立要求を無視することによって、前記新たなセッションの確立要求を拒絶するように構成される、請求項２６に記載のデバイス。
【請求項３５】
ワイヤレス通信リンクを介して通信するように構成されたデバイスであって、
前記ワイヤレス通信リンクを確立するための手段と、
モバイルワイヤレスデバイスにおいて
既存の音声およびデータの通信におけるパケットデータ送信のためのさらなるネットワークリソース、または
既存の音声通信におけるパケットデータ送信のための新たなネットワークリソース、
を求める、ネットワークへの要求を、前記ワイヤレス通信リンクが確立された後に抑制するための手段と、
を備え、
前記抑制することは、前記ワイヤレス通信リンクのコンディション、および送信されている既存のワイヤレス通信のタイプに部分的に基づく、
デバイス。
【請求項３６】
前記抑制された要求は、さらなるリソースを求める要求を備える、請求項３５に記載のデバイス。
【請求項３７】
前記抑制するための手段は、前記デバイスによって受信されたワイヤレス信号の品質、前記デバイスによって受信された信号に対するエラーレート、前記デバイスからのパケット再送信の数、前記デバイスの電力状態、および前記ワイヤレス通信リンクのリセット、のうちの少なくとも１つに基づいて、前記ネットワークリソースを求める要求を抑制するための手段を備える、請求項３５に記載のデバイス。
【請求項３８】
前記ワイヤレス通信のタイプは、複数無線アクセスベアラ通信を備える、請求項３５に記載のデバイス。
【請求項３９】
前記パケットデータ送信のためのネットワークリソースを求める要求は、トラフィックボリューム要求を備える、請求項３５に記載のデバイス。
【請求項４０】
前記ワイヤレス通信リンクは、ユニバーサルモバイルテレコミュニケーションシステムを備える、請求項３５に記載のデバイス。
【請求項４１】
前記ワイヤレス通信リンクは、３Ｇシステムを備える、請求項３５に記載のデバイス。
【請求項４２】
前記抑制することは、複数無線アクセスベアラワイヤレス通信のタイプに基づく、請求項３５に記載のデバイス。
【請求項４３】
新たなセッションの確立を求める要求を受信するための手段と、
現在のワイヤレス通信セッションの品質を決定するための手段と、
前記現在のワイヤレス通信セッションの十分な品質に基づいてワイヤレス通信ネットワークへの前記新たなセッションの確立要求を送信するための手段と、
前記現在のワイヤレス通信セッションの不十分な品質に基づいて前記新たなセッションの確立要求を拒絶するための手段と、
をさらに備える、請求項３５に記載のデバイス。
【請求項４４】
前記決定することは、アプリケーションプログラミングインタフェース（ＡＰＩ）を介してアプリケーションレベルで利用可能にされる情報に基づく、請求項４３に記載のデバイス。
【請求項４５】
前記決定することは、新たなセッションの確立要求を受信することに基づく、請求項４３に記載のデバイス。
【請求項４６】
前記決定することは、前記現在のワイヤレス通信セッションの少なくとも１つによって使用される送信電力に基づく、請求項４３に記載のデバイス。
【請求項４７】
前記決定することは、前記新たなワイヤレス通信セッションへの割り当てのために利用可能な残りの送信電力に基づく、請求項４３に記載のデバイス。
【請求項４８】
前記決定することは、前記現在のワイヤレス通信セッションの少なくとも１つの送信のために使用されるトランスポートフォーマットの組み合わせに基づく、請求項４３に記載のデバイス。
【請求項４９】
前記拒絶するための手段は、後のタイムまで、前記新たなセッションの確立要求を遅延させるための手段を備える、請求項４３に記載のデバイス。
【請求項５０】
前記後のタイムは、所定の後のタイムおよびランダムな後のタイムのうちの１つを備える、請求項４９に記載のデバイス。
【請求項５１】
前記拒絶するための手段は、前記新たなセッションの確立要求を無視するための手段を備える、請求項４３に記載のデバイス。
【請求項５２】
命令を備える非一時的なコンピュータ可読記憶媒体であって、前記命令は、装置の少なくとも１つプロセッサによって実行されるとき、前記装置に、
ワイヤレス通信リンクを確立することと、
その後、モバイルワイヤレスデバイスにおいて
既存の音声およびデータの通信におけるパケットデータ送信のためのさらなるネットワークリソース、または
既存の音声通信におけるパケットデータ送信のための新たなネットワークリソース、
を求める、ネットワークへの要求を抑制することと、
を行わせ、
前記抑制は、前記ワイヤレス通信リンクのコンディション、および送信されている既存のワイヤレス通信のタイプに部分的に基づく、
非一時的なコンピュータ可読記憶媒体。
【請求項５３】
前記抑制された要求は、さらなるリソースを求める要求を備える、請求項５２に記載の媒体。
【請求項５４】
前記抑制は、前記デバイスによって受信されたワイヤレス信号の品質、前記デバイスによって受信された信号に対するエラーレート、前記デバイスからのパケット再送信の数、前記デバイスの電力状態、および前記ワイヤレス通信リンクのリセット、のうちの少なくとも１つに基づく、請求項５２に記載の媒体。
【請求項５５】
前記ワイヤレス通信のタイプは、複数無線アクセスベアラ通信を備える、請求項５２に記載の媒体。
【請求項５６】
前記パケットデータ送信のためのネットワークリソースを求める要求は、トラフィックボリューム要求を備える、請求項５２に記載の媒体。
【請求項５７】
前記ワイヤレス通信リンクは、ユニバーサルモバイルテレコミュニケーションシステムを備える、請求項５２に記載の媒体。
【請求項５８】
前記ワイヤレス通信リンクは、３Ｇシステムを備える、請求項５２に記載の媒体。
【請求項５９】
前記抑制は、複数無線アクセスベアラワイヤレス通信のタイプに基づく、請求項５２に記載の媒体。
【請求項６０】
前記装置の少なくとも１つプロセッサによって実行されるとき、前記装置に、
新たなセッションの確立を求める要求を受信することと、
現在のワイヤレス通信セッションの品質を決定することと、
前記現在のワイヤレス通信セッションの十分な品質に基づいてワイヤレス通信ネットワークへの前記新たなセッションの確立要求を送信することと、
前記現在のワイヤレス通信セッションの不十分な品質に基づいて前記新たなセッションの確立要求を拒絶することと、
を行わせる命令をさらに備える、請求項５２に記載の媒体。
【請求項６１】
前記決定された品質は、アプリケーションプログラミングインタフェース（ＡＰＩ）を介してアプリケーションレベルで利用可能にされる情報に基づく、請求項６０に記載の媒体。
【請求項６２】
前記決定された品質は、新たなセッションの確立要求を受信することに基づく、請求項６０に記載の媒体。
【請求項６３】
前記決定された品質は、前記現在のワイヤレス通信セッションの少なくとも１つによって使用される送信電力に基づく、請求項６０に記載の媒体。
【請求項６４】
前記決定された品質は、前記新たなワイヤレス通信セッションへの割り当てのために利用可能な残りの送信電力に基づく、請求項６０に記載の媒体。
【請求項６５】
前記決定された品質は、前記現在のワイヤレス通信セッションの少なくとも１つの送信のために使用されるトランスポートフォーマットの組み合わせに基づく、請求項６０に記載の媒体。
【請求項６６】
前記装置の少なくとも１つのプロセッサによって実行されるとき、前記装置に、後のタイムまで前記新たなセッションの確立要求を遅延させることによって、前記新たなセッションの確立要求を拒絶することを行わせる、命令をさらに備える、請求項６０に記載の媒体。
【請求項６７】
前記後のタイムは、所定の後のタイムおよびランダムな後のタイムのうちの１つを備える、請求項６６に記載の媒体。
【請求項６８】
前記装置の少なくとも１つのプロセッサによって実行されるとき、前記装置に、前記新たなセッションの確立要求を無視することによって、前記新たなセッションの確立要求を拒絶することを行わせる、命令をさらに備える、請求項６０に記載の媒体。
【手続補正２】
【補正対象書類名】明細書
【補正対象項目名】００８１
【補正方法】変更
【補正の内容】
【００８１】
[0088]  上の記述は、いずれの当業者も添付の請求項の範囲内のインプリメンテーションを行うまたは使用することを有効にするように提供される。これらの態様に対する様々な改良は当業者に容易に明らかとなり、ここに定義された一般的な原理は、本開示の範囲を逸脱することなく、他の態様に適用されうる。したがって、本開示は、ここに提示された態様に限定されるようには意図されず、ここに開示される原理および新たな特徴と一致する最も広い範囲を与えられることとなる。
以下に、本願出願の当初の特許請求の範囲に記載された発明を付記する。
［Ｃ１］
無線通信の方法であって、
ワイヤレス通信リンクを確立することと、
モバイルワイヤレスデバイスにおいて
既存の音声およびデータの通信におけるパケットデータ送信のためのさらなるネットワークリソース、または
既存の音声通信におけるパケットデータ送信のための新たなネットワークリソース、
を求める、ネットワークへの要求を抑制することと
を備え、
前記抑制することは、前記ワイヤレス通信リンクのコンディション、および送信されている既存のワイヤレス通信のタイプに部分的に基づく、
方法。
［Ｃ２］
前記抑制された要求は、さらなるリソースを求める要求を備える、Ｃ１に記載の方法。
［Ｃ３］
前記抑制することは、前記デバイスによって受信されたワイヤレス信号の品質、前記デバイスによって受信された信号に対するエラーレート、前記デバイスからのパケット再送信の数、前記デバイスの電力状態、および前記ワイヤレス通信リンクのリセット、のうちの少なくとも１つに基づいて、前記ネットワークリソースを求める要求を抑制することを備える、Ｃ１に記載の方法。
［Ｃ４］
前記ワイヤレス通信のタイプは、複数無線アクセスベアラ通信を備える、Ｃ１に記載の方法。
［Ｃ５］
前記パケットデータ送信のためのネットワークリソースを求める要求は、トラフィックボリューム要求を備える、Ｃ１に記載の方法。
［Ｃ６］
前記ワイヤレス通信リンクは、ユニバーサルモバイルテレコミュニケーションシステムを備える、Ｃ１に記載の方法。
［Ｃ７］
前記ワイヤレス通信リンクは、３Ｇシステムを備える、Ｃ１に記載の方法。
［Ｃ８］
前記抑制することは、複数無線アクセスベアラワイヤレス通信のタイプに基づく、Ｃ１に記載の方法。
［Ｃ９］
新たなセッションの確立を求める要求を受信することと、
現在のワイヤレス通信セッションの品質を決定することと、
前記現在のワイヤレス通信セッションの十分な品質に基づいてワイヤレス通信ネットワークへの前記新たなセッションの確立要求を送信することと、
前記現在のワイヤレス通信セッションの不十分な品質に基づいて前記新たなセッションの確立要求を拒絶することと、
をさらに備える、Ｃ１に記載の方法。
［Ｃ１０］
前記決定することは、アプリケーションプログラミングインタフェース（ＡＰＩ）を介してアプリケーションレベルで利用可能にされる情報に基づく、Ｃ９に記載の方法。
［Ｃ１１］
前記決定することは、新たなセッションの確立要求を受信することに基づく、Ｃ９に記載の方法。
［Ｃ１２］
前記決定することは、前記現在のワイヤレス通信セッションの少なくとも１つによって使用される送信電力に基づく、Ｃ９に記載の方法。
［Ｃ１３］
前記決定することは、前記新たなワイヤレス通信セッションへの割り当てのために利用可能な残りの送信電力に基づく、Ｃ９に記載の方法。
［Ｃ１４］
前記決定することは、前記現在のワイヤレス通信セッションの少なくとも１つの送信のために使用されるトランスポートフォーマットの組み合わせに基づく、Ｃ９に記載の方法。
［Ｃ１５］
前記拒絶することは、後のタイムまで、前記新たなセッションの確立要求を遅延させることを備える、Ｃ９に記載の方法。
［Ｃ１６］
前記後のタイムは、所定の後のタイムおよびランダムな後のタイムのうちの１つを備える、Ｃ１５に記載の方法。
［Ｃ１７］
前記拒絶することは、前記新たなセッションの確立要求を無視することを備える、Ｃ９に記載の方法。
［Ｃ１８］
ワイヤレス通信リンクを介して通信するように構成されたデバイスであって、
ワイヤレス通信リンクを確立し、ワイヤレス通信を送信するように構成された送信機と、
既存の音声およびデータの通信におけるパケットデータ送信のためのさらなるネットワークリソース、または
既存の音声通信におけるパケットデータ送信のための新たなネットワークリソース、
を求める、ネットワークへの要求を抑制するように構成されたコントローラと
を備え、
前記コントローラは、前記ワイヤレス通信リンクのコンディション、および送信されている既存のワイヤレス通信のタイプに部分的に基づいて前記要求を抑制するように構成される、
デバイス。
［Ｃ１９］
前記抑制された要求は、さらなるリソースを求める要求を備える、Ｃ１８に記載のデバイス。
［Ｃ２０］
前記コントローラは、前記デバイスによって受信されたワイヤレス信号の品質、前記デバイスによって受信された信号に対するエラーレート、前記デバイスからのパケット再送信の数、前記デバイスの電力状態、および前記ワイヤレス通信リンクのリセット、のうちの少なくとも１つに基づいて、前記要求を抑制するように構成される、Ｃ１８に記載のデバイス。
［Ｃ２１］
前記ワイヤレス通信のタイプは、複数無線アクセスベアラ通信を備える、Ｃ１８に記載のデバイス。
［Ｃ２２］
前記パケットデータ送信のためのネットワークリソースを求める要求は、トラフィックボリューム要求を備える、Ｃ１８に記載のデバイス。
［Ｃ２３］
前記ワイヤレス通信リンクは、ユニバーサルモバイルテレコミュニケーションシステムを備える、Ｃ１８に記載のデバイス。
［Ｃ２４］
前記ワイヤレス通信リンクは、３Ｇシステムを備える、Ｃ１８に記載のデバイス。
［Ｃ２５］
前記コントローラは、複数無線アクセスベアラワイヤレス通信のタイプに基づいて前記要求を抑制するように構成される、Ｃ１８に記載のデバイス。
［Ｃ２６］
前記コントローラは、
新たなセッションの確立を求める要求を受信し、
現在のワイヤレス通信セッションの品質を決定し、
前記現在のワイヤレス通信セッションの十分な品質に基づいてワイヤレス通信ネットワークへの前記新たなセッションの確立要求を送信し、
前記現在のワイヤレス通信セッションの不十分な品質に基づいて前記新たなセッションの確立要求を拒絶する、
ようにさらに構成される、Ｃ１８に記載のデバイス。
［Ｃ２７］
前記コントローラは、アプリケーションプログラミングインタフェース（ＡＰＩ）を介してアプリケーションレベルで利用可能にされる情報に基づいて前記品質を決定するように構成される、Ｃ２６に記載のデバイス。
［Ｃ２８］
前記コントローラは、新たなセッションの確立要求を受信することに基づいて前記品質を決定するように構成される、Ｃ２６に記載のデバイス。
［Ｃ２９］
前記コントローラは、前記現在のワイヤレス通信セッションの少なくとも１つによって使用される送信電力に基づいて前記品質を決定するように構成される、Ｃ２６に記載のデバイス。
［Ｃ３０］
前記コントローラは、前記新たなワイヤレス通信セッションへの割り当てのために利用可能な残りの送信電力に基づいて前記品質を決定するように構成される、Ｃ２６に記載のデバイス。
［Ｃ３１］
前記コントローラは、前記現在のワイヤレス通信セッションの少なくとも１つの送信のために使用されるトランスポートフォーマットの組み合わせに基づいて前記品質を決定するように構成される、Ｃ２６に記載のデバイス。
［Ｃ３２］
前記コントローラは、後のタイムまで前記新たなセッションの確立要求を遅延させることによって、前記新たなセッションの確立要求を拒絶するように構成される、Ｃ２６に記載のデバイス。
［Ｃ３３］
前記後のタイムは、所定の後のタイムおよびランダムな後のタイムのうちの１つを備える、Ｃ３２に記載のデバイス。
［Ｃ３４］
前記コントローラは、前記新たなセッションの確立要求を無視することによって、前記新たなセッションの確立要求を拒絶するように構成される、Ｃ２６に記載のデバイス。
［Ｃ３５］
ワイヤレス通信リンクを介して通信するように構成されたデバイスであって、
前記ワイヤレス通信リンクを確立するための手段と、
モバイルワイヤレスデバイスにおいて
既存の音声およびデータの通信におけるパケットデータ送信のためのさらなるネットワークリソース、または
既存の音声通信におけるパケットデータ送信のための新たなネットワークリソース、
を求める、ネットワークへの要求を抑制するための手段と、
を備え、
前記抑制することは、前記ワイヤレス通信リンクのコンディション、および送信されている既存のワイヤレス通信のタイプに部分的に基づく、
デバイス。
［Ｃ３６］
前記抑制された要求は、さらなるリソースを求める要求を備える、Ｃ３５に記載のデバイス。
［Ｃ３７］
前記抑制するための手段は、前記デバイスによって受信されたワイヤレス信号の品質、前記デバイスによって受信された信号に対するエラーレート、前記デバイスからのパケット再送信の数、前記デバイスの電力状態、および前記ワイヤレス通信リンクのリセット、のうちの少なくとも１つに基づいて、前記ネットワークリソースを求める要求を抑制するための手段を備える、Ｃ３５に記載のデバイス。
［Ｃ３８］
前記ワイヤレス通信のタイプは、複数無線アクセスベアラ通信を備える、Ｃ３５に記載のデバイス。
［Ｃ３９］
前記パケットデータ送信のためのネットワークリソースを求める要求は、トラフィックボリューム要求を備える、Ｃ３５に記載のデバイス。
［Ｃ４０］
前記ワイヤレス通信リンクは、ユニバーサルモバイルテレコミュニケーションシステムを備える、Ｃ３５に記載のデバイス。
［Ｃ４１］
前記ワイヤレス通信リンクは、３Ｇシステムを備える、Ｃ３５に記載のデバイス。
［Ｃ４２］
前記抑制することは、複数無線アクセスベアラワイヤレス通信のタイプに基づく、Ｃ３５に記載のデバイス。
［Ｃ４３］
新たなセッションの確立を求める要求を受信するための手段と、
現在のワイヤレス通信セッションの品質を決定するための手段と、
前記現在のワイヤレス通信セッションの十分な品質に基づいてワイヤレス通信ネットワークへの前記新たなセッションの確立要求を送信するための手段と、
前記現在のワイヤレス通信セッションの不十分な品質に基づいて前記新たなセッションの確立要求を拒絶するための手段と、
をさらに備える、Ｃ３５に記載のデバイス。
［Ｃ４４］
前記決定することは、アプリケーションプログラミングインタフェース（ＡＰＩ）を介してアプリケーションレベルで利用可能にされる情報に基づく、Ｃ４３に記載のデバイス。
［Ｃ４５］
前記決定することは、新たなセッションの確立要求を受信することに基づく、Ｃ４３に記載のデバイス。
［Ｃ４６］
前記決定することは、前記現在のワイヤレス通信セッションの少なくとも１つによって使用される送信電力に基づく、Ｃ４３に記載のデバイス。
［Ｃ４７］
前記決定することは、前記新たなワイヤレス通信セッションへの割り当てのために利用可能な残りの送信電力に基づく、Ｃ４３に記載のデバイス。
［Ｃ４８］
前記決定することは、前記現在のワイヤレス通信セッションの少なくとも１つの送信のために使用されるトランスポートフォーマットの組み合わせに基づく、Ｃ４３に記載のデバイス。
［Ｃ４９］
前記拒絶するための手段は、後のタイムまで、前記新たなセッションの確立要求を遅延させるための手段を備える、Ｃ４３に記載のデバイス。
［Ｃ５０］
前記後のタイムは、所定の後のタイムおよびランダムな後のタイムのうちの１つを備える、Ｃ４９に記載のデバイス。
［Ｃ５１］
前記拒絶するための手段は、前記新たなセッションの確立要求を無視するための手段を備える、Ｃ４３に記載のデバイス。
［Ｃ５２］
命令を備える非一時的なコンピュータ可読記憶媒体であって、前記命令は、装置の少なくとも１つプロセッサによって実行されるとき、前記装置に、
ワイヤレス通信リンクを確立することと、
モバイルワイヤレスデバイスにおいて
既存の音声およびデータの通信におけるパケットデータ送信のためのさらなるネットワークリソース、または
既存の音声通信におけるパケットデータ送信のための新たなネットワークリソース、
を求める、ネットワークへの要求を抑制することと、
を行わせ、
前記抑制は、前記ワイヤレス通信リンクのコンディション、および送信されている既存のワイヤレス通信のタイプに部分的に基づく、
非一時的なコンピュータ可読記憶媒体。
［Ｃ５３］
前記抑制された要求は、さらなるリソースを求める要求を備える、Ｃ５２に記載の媒体。
［Ｃ５４］
前記抑制は、前記デバイスによって受信されたワイヤレス信号の品質、前記デバイスによって受信された信号に対するエラーレート、前記デバイスからのパケット再送信の数、前記デバイスの電力状態、および前記ワイヤレス通信リンクのリセット、のうちの少なくとも１つに基づく、Ｃ５２に記載の媒体。
［Ｃ５５］
前記ワイヤレス通信のタイプは、複数無線アクセスベアラ通信を備える、Ｃ５２に記載の媒体。
［Ｃ５６］
前記パケットデータ送信のためのネットワークリソースを求める要求は、トラフィックボリューム要求を備える、Ｃ５２に記載の媒体。
［Ｃ５７］
前記ワイヤレス通信リンクは、ユニバーサルモバイルテレコミュニケーションシステムを備える、Ｃ５２に記載の媒体。
［Ｃ５８］
前記ワイヤレス通信リンクは、３Ｇシステムを備える、Ｃ５２に記載の媒体。
［Ｃ５９］
前記抑制は、複数無線アクセスベアラワイヤレス通信のタイプに基づく、Ｃ５２に記載の媒体。
［Ｃ６０］
前記装置の少なくとも１つプロセッサによって実行されるとき、前記装置に、
新たなセッションの確立を求める要求を受信することと、
現在のワイヤレス通信セッションの品質を決定することと、
前記現在のワイヤレス通信セッションの十分な品質に基づいてワイヤレス通信ネットワークへの前記新たなセッションの確立要求を送信することと、
前記現在のワイヤレス通信セッションの不十分な品質に基づいて前記新たなセッションの確立要求を拒絶することと、
行わせる命令をさらに備える、Ｃ５２に記載の媒体。
［Ｃ６１］
前記決定された品質は、アプリケーションプログラミングインタフェース（ＡＰＩ）を介してアプリケーションレベルで利用可能にされる情報に基づく、Ｃ６０に記載の媒体。
［Ｃ６２］
前記決定された品質は、新たなセッションの確立要求を受信することに基づく、Ｃ６０に記載の媒体。
［Ｃ６３］
前記決定された品質は、前記現在のワイヤレス通信セッションの少なくとも１つによって使用される送信電力に基づく、Ｃ６０に記載の媒体。
［Ｃ６４］
前記決定された品質は、前記新たなワイヤレス通信セッションへの割り当てのために利用可能な残りの送信電力に基づく、Ｃ６０に記載の媒体。
［Ｃ６５］
前記決定された品質は、前記現在のワイヤレス通信セッションの少なくとも１つの送信のために使用されるトランスポートフォーマットの組み合わせに基づく、Ｃ６０に記載の媒体。
［Ｃ６６］
前記装置の少なくとも１つのプロセッサによって実行されるとき、前記装置に、後のタイムまで前記新たなセッションの確立要求を遅延させることによって、前記新たなセッションの確立要求を拒絶することを行わせる、命令をさらに備える、Ｃ６０に記載の媒体。
［Ｃ６７］
前記後のタイムは、所定の後のタイムおよびランダムな後のタイムのうちの１つを備える、Ｃ６６に記載の媒体。
［Ｃ６８］
前記装置の少なくとも１つのプロセッサによって実行されるとき、前記装置に、前記新たなセッションの確立要求を無視することによって、前記新たなセッションの確立要求を拒絶することを行わせる、命令をさらに備える、Ｃ６０に記載の媒体。
【国際調査報告】
2014524683.tif 000010
2014524683.tif 000011
2014524683.tif 000012